(57)【要約】      （修正有）【課題】大柄凹凸模様と微細柄凹凸模様とを同時に形成し得る高賦型性の賦型シートの製造方法。【解決手段】柄凹凸模様が、大柄凹凸模様と微細柄凹凸模様とからなり、積層された賦型シートが、賦型シート原反から、一次賦型シートとエンボスロールとを用いて作製され、下記の工程１〜３を含む、賦型シートの製造方法。工程１）前記微細柄凹凸模様を賦型可能な表面態様を有する側の加圧部品を一次賦型シート原反の賦型層に接触させ、加圧により転写し、次いで賦型層を硬化して一次賦型シートを作製する工程、工程２）加熱された大柄凹凸模様転写済み賦型シートからなる被転写シートと前記一次賦型シートとをプレス装置で挟んで加圧し、被転写シートの賦型層に転写する工程、工程３）微細柄凹凸模様転写済み賦型シートからなる被転写シート５１を前記大柄凹凸模様を有するエンボスロールで被転写シート５１に、転写する工程。【選択図】図１１
2019059142.tif 000002
【特許請求の範囲】
【請求項１】
深さ及び／または大きさが異なる２種以上の柄凹凸模様を同時に賦型可能な賦型シートの製造方法であって、
前記柄凹凸模様は、大柄凹凸模様と微細柄凹凸模様とからなり、
前記賦型シートは、
基材層と片面の最表層である賦型層とを有する積層体であり、
賦型シート原反から、一次賦型シートとエンボスロールとを用いて作製されるものであり、
前記大柄凹凸模様と前記微細柄凹凸模様とを賦型可能な表面態様を前記賦型シートの賦型層に有し、
前記賦型シート原反は、
賦型層側の面の表面粗さＳaが０．３μｍ以上、１５μｍ未満の基材層と、
表面粗さＳaが０．０３μｍ以上、５μｍ未満の賦型層とを有する積層体であり、
前記一次賦型シートは、
一次賦型シート原反から作製されるものであり、
基材層と、前記微細柄凹凸模様と略同形状の表面態様が形成されていて、片面の最表層である賦型層とを有する積層体であり、
前記一次賦型シート原反は、
透明樹脂フィルムからなる基材層と、
紫外線硬化性樹脂組成物からなって、片面の最表層である賦型層とを有する積層体であり、
前記製造方法が、下記の工程１〜３を含む、賦型シートの製造方法。
工程１）前記微細柄凹凸模様を賦型可能な表面態様を有する側の加圧部品の表面に、前記一次賦型シート原反を、流動可能な状態の前記一次賦型シート原反の賦型層が接するように、プレス装置１で挟んで、前記加圧部品の前記表面態様を加圧により前記一次賦型シート原反の賦型層に転写して、
次いで、前記一次賦型シート原反の基材層側から紫外線を照射して前記一次賦型シート原反の賦型層を硬化して、前記一次賦型シートを作製する工程、
工程２）加熱された前記賦型シート原反または大柄凹凸模様転写済み賦型シートからなる被転写シート１と、前記一次賦型シートとを、被転写シート１の賦型層と、前記一次賦型シートの賦型層とが、対向するように重ねて、
次いで、プレス装置２で挟んで加圧することによって、前記一次賦型シートの賦型層の前記表面態様を被転写シート１の賦型層に転写する工程、
工程３）前記賦型シート原反または微細柄凹凸模様転写済み賦型シートからなる被転写シート２を、前記大柄凹凸模様を賦型可能な表面態様を表面に有するエンボスロールと、バックアップロールとで、被転写シート２の賦型層が、前記エンボスロールの表面に接するように挟んで加圧して、前記エンボスロールの表面の前記大柄凹凸模様を、被転写シート２の賦型層に、転写する工程。
【請求項２】
前記工程３において、前記バックアップロールが、前記エンボスロールの前記大柄凹凸模様を圧着により転写され得る表面構成を備えたものである、
請求項１に記載の、賦型シートの製造方法。
【請求項３】
前記工程１において、前記一次賦型シート原反が枚葉シートである、
請求項１または２に記載の、賦型シートの製造方法。
【請求項４】
前記工程１において、前記一次賦型シート原反が連続シートであり、
前記工程２において、前記一次賦型シートと被転写シート１とが、連続シートであって、連続的に繰り出される、
前記工程３において、前記一次賦型シートと被転写シート２とが、連続シートであって、連続的に繰り出される、
請求項１または２に記載の、賦型シートの製造方法。
【請求項５】
前記工程２において、前記プレス装置の、前記一次賦型シートが接する側のプレス部品が、平滑で硬い表面構成のロールであり、
前記一次賦型シートは、枚葉シートであって、該ロールの表面に巻き付けて固定されており、
被転写シート１は、連続シートであって、連続的に繰り出される、
請求項１または２に記載の、賦型シートの製造方法。
【請求項６】
前記賦型シート原反は、
基材層の前記賦型シート原反賦型層側の面の表面粗さＳaが、０．３μｍ以上、５μｍ未満であり、
賦型層の表面の表面粗さＳaが、０．０３μｍ以上、０．５μｍ未満である、
請求項１〜５の何れか１項に記載の、賦型シートの製造方法。
【請求項７】
前記賦型シート原反は、
基材層が紙層とクレー層とを含み、
賦型層はポリプロピレン系樹脂またはポリメチルペンテン系樹脂を含む、
請求項１〜６の何れか１項に記載の、賦型シートの製造方法。
【請求項８】
前記大柄凹凸模様は、深さが５μｍ以上、３００μｍ以下である、請求項１〜７の何れか１項に記載の、賦型シートの製造方法。
【請求項９】
前記微細柄凹凸模様は、深さが０．０８μｍ以上、１０μｍ以下である、
請求項１〜８の何れか１項に記載の、賦型シートの製造方法。
【請求項１０】
前記微細柄凹凸模様は、回折光沢を有し、深さが０．０８μｍ以上、５μｍ以下である、
請求項１〜８の何れか１項に記載の、賦型シートの製造方法。
【請求項１１】
前記微細柄凹凸模様は、マット質感を有し、深さが５μｍ以上、１０μｍ以下である、請求項１〜８の何れか１項に記載の、賦型シートの製造方法。
【請求項１２】
前記大柄凹凸模様が、凹部に略平坦面である底面、または、凸部に略平坦面である天面、を有する大柄凹凸模様である、
請求項１〜１１の何れか１項に記載の、賦型シートの製造方法。
【請求項１３】
前記微細柄凹凸模様は、前記大柄凹凸模様の無い平滑な略平坦面、前記底面、および前記天面、からなる群から選ばれる１種または２種以上の場所に位置する、
請求項１２に記載の、賦型シートの製造方法。
【請求項１４】
前記微細柄凹凸模様が、前記大柄凹凸模様よりも先に、前記賦型シート原反に賦型される、
請求項１〜１３の何れか１項に記載の、賦型シートの製造方法。
【請求項１５】
前記大柄凹凸模様が、前記微細柄凹凸模様よりも先に、前記賦型シート原反に賦型される、
請求項１〜１３の何れか１項に記載の、賦型シートの製造方法。
【請求項１６】
請求項１〜１５の何れか１項に記載の賦型シートの製造方法によって作製された、賦型シート。
【発明の詳細な説明】
【技術分野】
【０００１】
本発明は、深さ及び／または大きさが異なる２種以上の柄凹凸模様を同時に賦型可能な賦型シートの製造方法、及び該製造方法によって作製された賦型シートに関するものである。
前記賦型シートは、賦型シート原反から作製された、基材層と片面の最表層である賦型層とを含む積層体であり、該賦型層は、一次賦型シートと、エンボスロールからの転写によって、前記大柄凹凸模様と前記微細柄凹凸模様とを同時に賦型可能な表面態様を有するものである。
前記賦型シートは、表面に目視され得る柄凹凸模様や、回折現象による回折光沢や、マット質感を賦型することができる賦型シートであり、微細な柄凹凸模様が大柄な凹凸模様の中に位置していても精巧に転写し得る。
【背景技術】
【０００２】
合成皮革や包装体等のシート表面、更には家具、家屋内装、自動車内装資材の表面に用いられ化粧板等の表面における意匠性を向上させる目的で、凹凸による柄模様を賦型したり、回折現象を利用した光沢（例えば虹状の光沢）を付与することがある。その際には、シート表面に微細な凹凸を形成して、光の回折現象を生じさせて、独特の光沢を発現させるという方法が有る。
独自の柄模様を発現させるためには、深浅大小様々な複雑化した凹凸模様を賦型する必要があり、柄模様の複雑化に応じてその製造工程が複雑化してきた。
【０００３】
例えば、表面にホログラム状の微細凹凸形状を有する離型シートが提案されており、かかる離型シートを用いて製造される樹脂皮革においては、表皮層に形成されたホログラム状の微細凹凸形状により、観察する角度に応じた多色の光沢（虹色の光沢）が奏される（特許文献１，２参照）。
【０００４】
また、樹脂皮革の表皮層の表面に柄（模様）を形成することを目的とし、深さの異なる２種類のエンボス柄（第１エンボス柄及び第２エンボス柄）が離型層の表面に形成されている離型シートが提案されている（特許文献３参照）。
【０００５】
しかし、微細凹凸形状を形成する際の転写圧が不均一なことによって均質な転写が困難であったり、転写圧が大き過ぎることによって微細凹凸形状が潰れてしまったり、離型時に欠落する等の問題も発生し易く、微細凹凸形状の浅さや微細さには限界があった。
【先行技術文献】
【特許文献】
【０００６】
【特許文献１】特許３０９８７９９号公報
【特許文献２】特開２０１０−２５３７７９号公報
【特許文献３】特表２０１３−５１８７３８号公報
【発明の概要】
【発明が解決しようとする課題】
【０００７】
特別な設備を用いずに、低コストで、意匠性の高い柄を得るための、深さ及び／または大きさの異なる２種以上の、大柄凹凸模様と微細柄凹凸模様とを同時に形成し得る高賦型性の賦型シートの製造方法、及び該製造方法で製造された賦型シートを提供する。
【課題を解決するための手段】
【０００８】
本発明者らは、上記課題を解決するために鋭意研究し、本発明における賦型シートの製造方法は、特別な設備を用いずに、低コストで、意匠性の高い柄を得るための、大きさ及び／または深さが異なる２種以上の、大柄凹凸模様と微細柄凹凸模様とを同時に形成し得る、高賦型性の賦型シートを提供できることを見出した。
【０００９】
すなわち、本発明は、以下の点を特徴とする。
１．深さ及び／または大きさが異なる２種以上の柄凹凸模様を同時に賦型可能な賦型シートの製造方法であって、
前記柄凹凸模様は、大柄凹凸模様と微細柄凹凸模様とからなり、
前記賦型シートは、
基材層と片面の最表層である賦型層とを有する積層体であり、
賦型シート原反から、一次賦型シートとエンボスロールとを用いて作製されるものであり、
前記大柄凹凸模様と前記微細柄凹凸模様とを賦型可能な表面態様を前記賦型シートの賦型層に有し、
前記賦型シート原反は、
賦型層側の面の表面粗さＳaが０．３μｍ以上、１５μｍ未満の基材層と、
表面粗さＳaが０．０３μｍ以上、５μｍ未満の賦型層とを有する積層体であり、
前記一次賦型シートは、
一次賦型シート原反から作製されるものであり、
基材層と、前記微細柄凹凸模様と略同形状の表面態様が形成されていて、片面の最表層である賦型層とを有する積層体であり、
前記一次賦型シート原反は、
透明樹脂フィルムからなる基材層と、
紫外線硬化性樹脂組成物からなって、片面の最表層である賦型層とを有する積層体であり、
前記製造方法が、下記の工程１〜３を含む、賦型シートの製造方法。
工程１）前記微細柄凹凸模様を賦型可能な表面態様を有する側の加圧部品の表面に、前記一次賦型シート原反を、流動可能な状態の前記一次賦型シート原反の賦型層が接するように、プレス装置１で挟んで、前記加圧部品の前記表面態様を加圧により前記一次賦型シート原反の賦型層に転写して、
次いで、前記一次賦型シート原反の基材層側から紫外線を照射して前記一次賦型シート原反の賦型層を硬化して、前記一次賦型シートを作製する工程、
工程２）加熱された前記賦型シート原反または大柄凹凸模様転写済み賦型シートからなる被転写シート１と、前記一次賦型シートとを、被転写シート１の賦型層と、前記一次賦型シートの賦型層とが、対向するように重ねて、
次いで、プレス装置２で挟んで加圧することによって、前記一次賦型シートの賦型層の前記表面態様を被転写シート１の賦型層に転写する工程、
工程３）前記賦型シート原反または微細柄凹凸模様転写済み賦型シートからなる被転写シート２を、前記大柄凹凸模様を賦型可能な表面態様を表面に有するエンボスロールと、バックアップロールとで、被転写シート２の賦型層が、前記エンボスロールの表面に接するように挟んで加圧して、前記エンボスロールの表面の前記大柄凹凸模様を、被転写シート２の賦型層に、転写する工程。
２．前記工程３において、前記バックアップロールが、前記エンボスロールの前記大柄凹凸模様を圧着により転写され得る表面構成を備えたものである、
上記１に記載の、賦型シートの製造方法。
３．前記工程１において、前記一次賦型シート原反が枚葉シートである、
上記１または２に記載の、賦型シートの製造方法。
４．前記工程１において、前記一次賦型シート原反が連続シートであり、
前記工程２において、前記一次賦型シートと被転写シート１とが、連続シートであって、連続的に繰り出される、
前記工程３において、前記一次賦型シートと被転写シート２とが、連続シートであって、連続的に繰り出される、
上記１または２に記載の、賦型シートの製造方法。
【００１０】
５．前記工程２において、前記プレス装置の、前記一次賦型シートが接する側のプレス部品が、平滑で硬い表面構成のロールであり、
前記一次賦型シートは、枚葉シートであって、該ロールの表面に巻き付けて固定されており、
被転写シート１は、連続シートであって、連続的に繰り出される、
上記１または２に記載の、賦型シートの製造方法。
６．前記賦型シート原反は、
基材層の前記賦型シート原反賦型層側の面の表面粗さＳaが、０．３μｍ以上、５μｍ未満であり、
賦型層の表面の表面粗さＳaが、０．０３μｍ以上、０．５μｍ未満であり、
上記１〜５の何れかに記載の、賦型シートの製造方法。
７．前記賦型シート原反は、
基材層が紙層とクレー層とを含み、
賦型層はポリプロピレン系樹脂またはポリメチルペンテン系樹脂を含む、
上記１〜６の何れかに記載の、賦型シートの製造方法。
８．前記大柄凹凸模様は、深さが５μｍ以上、３００μｍ以下である、上記１〜７の何れかに記載の、賦型シートの製造方法。
９．前記微細柄凹凸模様は、深さが０．０８μｍ以上、１０μｍ以下である、
上記１〜８の何れかに記載の、賦型シートの製造方法。
１０．前記微細柄凹凸模様は、回折光沢を有し、深さが０．０８μｍ以上、５μｍ以下である、
上記１〜８の何れかに記載の、賦型シートの製造方法。
【００１１】
１１．前記微細柄凹凸模様は、マット質感を有し、深さが５μｍ以上、１０μｍ以下である、
上記１〜８の何れかに記載の、賦型シートの製造方法。
１２．前記大柄凹凸模様が、凹部に略平坦面である底面、または、凸部に略平坦面である天面、を有する大柄凹凸模様である、
上記１〜１１の何れかに記載の、賦型シートの製造方法。
１３．前記微細柄凹凸模様は、前記大柄凹凸模様の無い平滑な略平坦面、前記底面、および前記天面、からなる群から選ばれる１種または２種以上の場所に位置する、
上記１２に記載の、賦型シートの製造方法。
１４．前記微細柄凹凸模様が、前記大柄凹凸模様よりも先に、前記賦型シート原反に賦型される、
上記１〜１３の何れかに記載の、賦型シートの製造方法。
１５．前記大柄凹凸模様が、前記微細柄凹凸模様よりも先に、前記賦型シート原反に賦型される、
上記１〜１３の何れかに記載の、賦型シートの製造方法。
１６．上記１〜１５の何れかに記載の賦型シートの製造方法によって作製された、賦型シート。
【発明の効果】
【００１２】
本発明の賦型シートの製造方法によれば、特別な設備を用いずに、低コストで、意匠性の高い柄を得るための、深さ及び／または大きさの異なる２種以上の、大柄凹凸模様と微
細柄凹凸模様とを同時に賦型可能な賦型シートの作製が可能である。微細柄凹凸模様が、大柄凹凸模様の中に位置している場合でも、高精度に作製することが可能である。
【００１３】
本発明においては、従来よりも平滑な基材層と樹脂層とを有する賦型シート原反と、従来よりも平滑な基材層を有する一次賦型シートを用いることによって、従来よりも浅く微細な模様を有する賦型シートを高精度に作製することもできる。
また、上記によって、賦型シートに微細柄凹凸模様を形成する際の圧力を、従来の１／１０〜１／３程度の低圧化することも可能であり、上記の原反の平滑性との相乗効果によって、より浅く微細な模様を有する賦型シートをより高精度に作製することもできる。
【００１４】
更に、賦型時の加熱手段の追加によって、従来よりも安定した高精度な凹凸模様の形成加工が可能である。また、剥離時の冷却手段の追加によって、従来よりも安定した凹凸模様の欠落防止が可能であり、高精度な微細柄凹凸模様の形成固定が可能である。そしてこれらの相乗効果によって、より更に、浅く微細な模様を有する賦型シートを作製することもできる。
【００１５】
また、本発明の製造方法による賦型シートは、皺模様や回折光沢やマット質感を付与する装飾用の部材用途の意匠シートや、更には、高度な意匠性や触感性を要求される様々な分野の製品に適用される意匠シートを作成することもできる。
例えば、練り歯磨き、食品、化粧品、医薬品、その他等の内容物のラミネートチューブ容器の作製用途に用いることができる。ラミネートチューブ容器は、容器本体の表面全体に様々な凹凸を形成することで、視覚の不自由な消費者が触感によって識別することも可能であり、また、滑りにくくもなることで、特に高齢者や手の不自由な消費者が、チューブ容器を持ちやすくなる効果もある。
【図面の簡単な説明】
【００１６】
【図１】微細柄模様を説明する図である。
【図２】微細柄模様を説明する図である。
【図３】賦型シートを説明する図である。
【図４】微細柄模様を説明する拡大図である。
【図５】微細柄模様を説明する俯瞰図である。
【図６ａ】微細柄模様（マット質感）を説明する拡大図である。
【図６ｂ】微細柄模様（マット質感）を説明する俯瞰図である。
【図７】一次賦型シートを説明する図である。
【図８】微細柄凹凸模様転写済み賦型シートを説明する図である。
【図９】大柄凹凸模様転写済み賦型シートを説明する図である。
【図１０】賦型シートを説明する図である。
【図１１】意匠シートを説明する図である。
【図１２】一次賦型シートの作製方法を説明する図である。
【図１３】一次賦型シートの作製方法を説明する図である。
【図１４】微細柄凹凸模様転写済み賦型シートの作製方法を説明する図である。
【図１５】大柄凹凸模様転写済み賦型シートの作製方法を説明する図である。
【発明を実施するための形態】
【００１７】
以下、本発明について図面を用いながら説明する。但し、本発明はこれら具体的に例示された形態や各種具体的に記載された構造に限定されるものではない。
なお、各図においては、解り易くする為に、部材の大きさや比率を変更または誇張して記載することがある。また、見易さの為に説明上不要な部分や繰り返しとなる符号は省略することがある。
また、各図において、賦型部は、ｙ軸方向（以下、「延在方向」或いは「長手方向」と
も記載する。）に延びる線状凸部を成している。そして、複数の線状凸部が、ｘ軸方向に配列されている。
更に、各図において、凹凸模様は明確な角を有するパターンとして例示されているが、角が丸まった形状でもよい。
【００１８】
以降、本発明においては、微細柄凹凸模様を賦型可能な表面態様を該原賦型シートに転写する為の版であるシートを一次賦型シート、賦型シート原反の賦型層に大柄凹凸模様のみを賦型可能な表面態様が形成されたものを大柄凹凸模様転写済み賦型シート、賦型シート原反の賦型層に微細柄凹凸模様のみを賦型可能な表面態様が形成されたものを微細柄凹凸模様転写済み賦型シート、賦型シート原反の賦型層に大柄凹凸模様と微細柄凹凸模様とを賦型可能な表面態様が形成されたものを賦型シート、賦型シートから転写によって大柄凹凸模様と微細柄凹凸模様とが形成されたシートを意匠シートと表記する。
【００１９】
また、賦型シート、一次賦型シート、意匠シートのそれぞれは、賦型シート原反、一次賦型シート原反、意匠シート原反から作製されるものである。
各部材の各層の説明においては、特に指定が無ければ、例えば、原反という語はその部材の原反を指し、基材層、賦型層、賦型部、基部という語はその部材の基材層、賦型層、賦型部、基部を指すものとして記載する。
樹脂組成物とは、狭義には樹脂に他成分を配合した物を指すが、本発明においては、樹脂も樹脂組成物に包含されるものとして記載する。
【００２０】
＜凹凸模様＞
本発明は、深さと大きさが異なる２種以上の柄凹凸模様を同時に賦型可能な賦型シートの製造方法である。深さと大きさが異なる柄凹凸模様は、エンボス凹凸形状を有するものであり、大柄凹凸模様と、微細柄凹凸模様が挙げられる。
本発明において、柄の単位大きさとは、規則的繰り返しパターン模様の場合には繰り返し方向のピッチを、ランダムな独立模様の場合には、単位柄を長方形に収めた場合の長方形の長辺の長さを指し、賦型シートの幅または長さのように、非常に大きな場合もある。
本発明において、大柄凹凸模様と微細柄凹凸模様とは、狭義には、意匠シート上の模様を指すものであるが、転写前の反転した凹凸構造の態様についても区別無く同様に、大柄凹凸模様、微細柄凹凸模様とも表記する。また、転写によって鋭角部が丸くなることも想定されるが、転写前後は略同形状であると見做し、同様に大柄凹凸模様、微細柄凹凸模様とも表記する。
【００２１】
微細柄凹凸模様は大柄凹凸模様の外に賦型されていてもよく、微細柄凹凸模様が大柄凹凸模様の中に賦型されていてもよく、大柄凹凸模様と微細柄凹凸模様のパターンや大きさや賦型位置を組み合わせることによって、様々な意匠効果を得ることも可能である。
例えば、大柄凹凸模様の凸部天面は微細柄凹凸模様の賦型性に優れていることから、該凸部天面の面積を増やして、賦型し難い微細柄凹凸模様を凸部天面のみに賦型したり、微細柄凹凸模様の面積を増やしたり、微細柄効果を目立ちやすくすることが出来る。
以下に、大柄凹凸模様と微細柄凹凸模様について説明する。
【００２２】
［大柄凹凸模様］
本発明において、大柄凹凸模様は、規則的な繰り返し模様であっても、単位柄種類や柄の単位大きさの異なるランダムな模様でもよい。柄の単位大きさは、大柄凹凸模様の場合はエンボスロールの圧着面の幅または長さのように、非常に大きな場合もある。
また、本発明において、大柄凹凸模様とは、深さが、好ましくは５μｍ以上、３００μｍ以下、より好ましくは１０μｍ以上、１５０μｍ以下である。
大柄凹凸模様の断面形状は、それぞれ、例えば、略三角波形状、略矩形波形状、略台形波形状、略正弦波形状又は略鋸歯状波形状であることが可能である。
上部から見た場合の大柄凹凸模様の形状としては、例えば、天然皮革（蛇、ワニ等の動物柄等含む）由来のランダム柄や、幾何学模様等の規則柄が挙げられる。
【００２３】
本発明の賦型シートによって作製される大柄凹凸模様は、平滑な略平坦面の、凸部天面または凹部底面を有していることが好ましい。
大柄凹凸模様の略平坦面部としては、大柄凹凸模様の凸部天面部や凹部底面部、または大柄凹凸模様とは無関係の部分が挙げられる。略平坦面部は、微細柄凹凸模様の転写性（賦型性）に優れており、意匠性の向上が顕著になるが、凸部天面周辺、凹部底面周辺、斜面部においては、略平坦面部との、同条件下での微細柄凹凸模様の同時の転写（賦型）が困難である。
【００２４】
凸部天面部が略平坦面で平滑性があるほど均質な微細柄凹凸模様表現の賦型が容易である。凸部天面が略平坦面でないと、凸頂点部は微細柄凹凸模様が賦型され易いが、凸頂点周縁部は微細柄凹凸模様の賦型にムラが生じ易い。凹部底面部についても同様であり、略平坦面で平滑性があるほど均質な微細柄凹凸模様表現の賦型が容易である。
略平坦面部、凹部底面、凸部天面の平滑性は、例えば表面粗さＳａが０．０３μｍ以上、５μｍ未満、隣り合う凸部天面同士の凸面最大高さの差Ｓｚが、５μｍ以上、１５０μｍ未満であることが好ましい。隣り合う凹部底面同士の凹面最大高さの差Ｓｚが、１０μｍ以上、３０μｍ未満であることが好ましい。
【００２５】
［微細柄凹凸模様］
本発明において、微細柄凹凸模様は、規則的な繰り返し模様であっても、単位柄種類や柄の単位大きさの異なるランダムな模様でもよい。
意匠シートの表面に微細柄凹凸模様を有することによって、意匠シートがマット質感の外観や回折光沢および触感による識別性を有し、また、消費者、特に高齢者が意匠シート使用容器を滑らせずに持ちやすくできるという利点を発揮する。
意匠シート表面の微細柄凹凸模様の凸凹部の形状パターンとしては、点分散状、ストライプ状、四角錐の島の配列、皺やワニ革状の非幾何学的な模様等を用いることができる。
【００２６】
微細柄凹凸模様の断面形状は、様々な形状が可能であり、例えば、図１のような略三角波形状、略矩形波形状、略台形波形状、略正弦波形状又は略鋸歯状波形状等が挙げられる。
例えば、図２のように、三角形の線状凸部と平らな線状凹部を形成していてもよい。この図２に示された意匠シートの模様は、図３に示された表面態様を有する賦型シートを用いることで作製される。
図４に微細柄凹凸模様部分の拡大断面図を示した。Ｐは微細柄凹凸模様のピッチを、Ｄは微細柄凹凸模様の深さを示していて、賦型部は、ｙ軸方向（以下、「延在方向」或いは「長手方向」とも記載する。）に延びる線状凸部を成している。そして、複数の線状凸部が、ｘ軸方向に配列されている。
微細柄凹凸模様の深さＤは、０．０８μｍ以上、１０μｍ以下であることが好ましい。
本発明においては、賦型シートを用いて意匠シートの表面樹脂層に微細柄凹凸模様を転写して形成するという製造方式上の理由から、意匠シート表面の微細柄凹凸模様の態様は、凸部、凹部、頂部、及び谷部が図１や図２に示されたような明確な態様ではなく、角部が丸くなった態様や、断面形状が略台形になることもある。しかし、明確な態様とはならなくとも、十分に、マット質感や回折光沢が、明るく且つ広い視野で観察され得る。
【００２７】
図５（ａ）、（ｂ）は、意匠シートの表面樹脂層の微細柄凹凸模様部分を上から見た平面図であり、微細柄凹凸模様の線状凸部及び線状凹部が延びる態様が表れている。
図５（ａ）は、線状凸部及び線状凹部が帯状の賦型シートの長手方向（同図に於けるｙ軸方向）に対して平行に延びる例、図５（ｂ）は、線状凸部及び線状凹部が帯状の賦型シ
ートの長手方向（同図に於けるｙ軸方向）に対して角度α傾いて延びる例である。
微細柄凹凸模様によっても異なるが、図５（ａ）、（ｂ）の模様の場合には、αの範囲は０°以上、１°以下であることが好ましい。図５（ａ）はαが０°の場合を示している。αを上記範囲にすることにより、賦型シート生産時の離型性、及び該賦型シートを用いた意匠シート生産時の離型性を向上させることができ、意匠シートの線状凹凸部に欠け等の不具合が生じ難くなる。
【００２８】
微細柄凹凸模様は、表面樹脂層の表面の平滑な略平坦面に位置していることが好ましい。これは、賦型シートから微細柄凹凸模様が転写される際に、平滑な略平坦面に位置している微細柄凹凸模様は転写性（賦型性）に優れているからである。
平滑な略平坦面の具体例としては、他の模様の無い部分、大柄凹凸模様の凹部底面、大柄凹凸模様の凸部天面等が挙げられる。
また、凸部天面の周辺部、凹部底面の周辺部、斜面部に位置する微細柄凹凸模様と、上記の平滑な略平坦面に位置している微細柄凹凸模様とを、同条件下で同時に転写（賦型）することは困難な傾向にある。その為、場合によっては、意匠シートの表面樹脂層表面の平滑な略平坦面にのみ微細柄凹凸模様を賦型して、高精度に仕上げることも好ましい。
【００２９】
（回折光沢の場合の微細柄凹凸模様）
意匠シート表面に回折光沢を得たい場合の微細柄凹凸模様は、一例として図１に示したように、微細柄凹凸模様の線状凸部が三角柱を横に倒した線状であり、底辺を前記基部に、頂点を前記基部とは反対側に有する二等辺三角形断面を具備し、該二等辺三角形断面を維持して一方向に延びた形状であり、広範囲の断面形状は略三角波形状であることが好ましい。
【００３０】
微細柄凹凸模様の深さＤは、０．０８μｍ以上、５μｍ以下が好ましく、ピッチＰは、１μｍ以上、１０μｍ以下が好ましい。
更に、例えば、微細柄凹凸模様が二等辺三角形断面の線状凸部を有している場合に、該二等辺三角形状の頂点における頂角θは、ピッチＰが１μｍ以上、３μｍ以下の場合は、８０°以上、１６０°以下が好ましく、ピッチＰが３μｍよりも大きく、１０μｍ以下の場合は、９０°以上、１６０°以下が好ましい。
【００３１】
（マット質感の場合の微細柄凹凸模様）
意匠シート表面にマット質感を得たい場合の微細柄凹凸模様は、一例として、広範囲の断面形状が図６ａに示したように略台形波形状、略矩形波形状で、凸部底面が略菱形の略四角柱形状で、あることが好ましい。
微細柄凹凸模様の深さＤは、５μｍ以上、１０μｍ以下が好ましく、ピッチＰは、１００μｍ以上、５０００μｍ以下が好ましい。また、上から見た場合の平面図が図６ｂのようなマット質感を与える微細柄凹凸模様の場合は、凸部の幅Ｗは、１００μｍ以上、１０００μｍ以下であることが、触感性に優れるので好ましい。
【００３２】
＜凹凸模様転写時のプレス装置＞
本発明において、微細柄凹凸模様または大柄凹凸模様からなるエンボス凹凸形状を被転写シートに転写する際には、２つのロール、１つのロールと１つの平板、及び２つの平板等の対になった加圧部品を有するプレス装置を用いることができる。
１対の加圧部品としては、２つのロールの場合、１つのロールと１つの平板を用いる場合、２つの平板を用いる場合等がある。
転写元の賦型元型は、対になった加圧部品の一方の場合と、一次賦型シートの場合がある。
転写元の賦型元型が対になった加圧部品の一方である場合においては、加圧部品の一方が、エンボスロールやドラム状賦型版が取り付けられたロール等の、エンボス凹凸形状の
表面態様を有するものを用いることが出来る。この場合、被転写シートの賦型層を、該加圧部品のエンボス凹凸形状の表面態様に接するように挟んで加圧する。
【００３３】
転写元の賦型元型が一次賦型シートである場合においては、加圧部品の両方が、平滑な表面態様を有するものを用いることが出来る。この場合、一次賦型シートと被転写シートとを、一次賦型シートの賦型層と被転写シートの賦型層とが対向するように重ねて、加圧部品で挟んで加圧する。
１対の加圧部品で挟む場合、２つの加圧部品それぞれの表面の硬さや平滑性については、必要に応じて様々な組み合わせを選ぶことが出来る。両方の加圧部品に表面が平滑で硬いものを選ぶこともできるし、一次賦型シートが接する側（エンボス側）の加圧部品の表面は平滑で硬いが、被転写シート側（バックアップ側）の加圧部品については、表面が柔らかい構成のものまたは硬い構成のものを選ぶことが出来る。
【００３４】
本発明においては、バックアップ側の加圧部品には、表面が柔らかい構成のもの、と表面が硬い構成のもののどちらも用いることが可能である。
特別に微細な模様を賦型したい場合や、高精度の賦型を要求する場合には、バックアップ側の加圧部品は、平滑で硬くて圧着により表面形状が変化しない構成を備えたものが好ましい。
【００３５】
本発明において、エンボスロールとは、狭義には、表面に凹凸からなるエンボス構造の表面態様を有するロールのことであるが、ドラム状賦型版が取り付けられたロールや、一次賦型シートが接する側の平滑なロールや、バックアップロールとの対となった組み合わせをも包含する総称としても表記する。
【００３６】
バックアップロールとは、上記エンボスロールと同時に用いられる、対のロールのことであり、被転写シートが接する側のロールである。バックアップロールの表面は、目的や使い方によって、柔らかいもの、または、硬いものが選ばれる。
表面が柔らかいバックアップロールは、エンボスロールやドラム状エンボス賦型版が取り付けられたロールや一次賦型シート賦型層の、表面エンボス凹凸形状を、圧着により転写され得る表面構成を備える。転写は一時的でも恒久的でもよい。
表面が柔らかいバックアップロールを用いた場合には、エンボス凹凸形状を転写されるシート（被転写シート）は、賦型層のみならず基材層も、該表面エンボス凹凸形状が反映され得る。
表面が柔らかいバックアップロールの具体例としては、例えば、ウールンペーパーロール等のペーパーロール、高弾性ロール、ゴムロール等が挙げられる。
【００３７】
表面が硬いバックアップロールは、エンボスロールやドラム状エンボス賦型版が取り付けられたロールや一次賦型シート賦型層の、表面エンボス凹凸形状を、圧着により転写されない表面構成を備える。
表面が硬いバックアップロールを用いた場合には、被転写シートは、主に賦型層に該表面エンボス凹凸形状が反映され得る。
【００３８】
＜賦型シート製造方法概略＞
本発明の賦型シートの製造方法においては、特定の表面粗さを有する基材層と、特定の表面粗さを有する賦型層とを含む賦型シート原反の賦型層を、凹凸模様を有する版に圧着して、該賦型層上に該凹凸模様を転写して、該賦型層上に該凹凸模様を賦型し得る表面態様を形成する。
該凹凸模様としては、大柄凹凸模様と微細柄凹凸模様の２種類の模様が賦型シート原反に転写される。
【００３９】
本発明の賦型シートの製造方法は、上記の工程１〜３を含むものであるが、大柄凹凸模様と微細柄凹凸模様のどちらを先に賦型シート原反に転写してもよい。
先ず微細柄凹凸模様を転写して、次いで大柄凹凸模様を転写する場合には、工程２を工程３よりも前に行う。逆に、先ず大柄凹凸模様を転写して、次いで微細柄凹凸模様を転写する場合には、工程３を工程２の前に行う。
また、工程１は、工程２の直前に工程２と連続して行ってもよく、予め工程２、３よりも前以て行っていてもよい。
【００４０】
＜一次賦型シート原反＞
一次賦型シート原反は賦型層と基材層とを有する積層体である。
更には、基材層は、基材層の賦型層側表面を平滑化するために、平滑化樹脂層等の平滑化層を有することもできる。
また更には、基材層と賦型層との密着性を向上させる目的で、基材層は、表面がコロナ放電処理、オゾン処理等の易接着性処理が施されていてもよく、プライマーやアンカーコート剤等から成るアンカーコート層を、賦型層側に有することもできる。
一次賦型シート原反は、枚葉シート状でもよく、ロール巻きされたような、連続シート状であってもよい。
【００４１】
［基材層］
本発明において、一次賦型シート原反の基材層は、紫外線を透過するものが好ましく、耐熱性、平滑性、耐屈曲性、剛性等を有するものが更に好ましく、具体的には、樹脂フィルムまたはシート、樹脂塗布膜等が好ましく用いられる。
【００４２】
具体的な樹脂としては、例えば、ポリエチレンテレフタレート（ＰＥＴ）やポリエチレンナフタレート等のポリエステル系樹脂、各種ナイロン等のポリアミド系樹脂、ポリエチレン系樹脂、ポリプロピレン系樹脂、環状ポリオレフィン樹脂、ポリスチレン系樹脂、アクリロニトリル−スチレン共重合体（ＡＳ樹脂）、アクリロニトリル−ブタジエン−スチレン共重合体（ＡＢＳ樹脂）、ポリブテン樹脂等のポリオレフィン系樹脂、ポリ塩化ビニル系樹脂、ポリカーボネート系樹脂、ポリイミド系樹脂、ポリアミドイミド系樹脂、ポリアリールフタレイト樹脂、シリコーン系樹脂、ポリスルホン系樹脂、ポリフェニレンスルフィド系樹脂、ポリエーテルスルホン系樹脂、ポリウレタン系樹脂、セルロース系樹脂、ポリ（メタ）アクリル系樹脂、ポリ塩化ビニリデン、アセタール系樹脂、フッ素系樹脂、その他等の樹脂が挙げられる。
【００４３】
本発明においては、特に、ポリエステル系樹脂、ポリプロピレン系樹脂、または、ポリアミド系樹脂のフィルムまたはシートを使用することが好ましく、耐熱性及び平滑性の観点からは、ポリエチレンテレフタレート、ポリエチレンナフタレート等のポリエステル系樹脂のフィルムまたはシートを使用することがより好ましく、ＰＥＴフィルムまたはシートを用いることが特に好ましい。
また、必要に応じて、２種以上の樹脂のフィルムまたはシ−ト等を併用して使用することもできる。
賦型層の表面を平滑にするためには、基材層の表面を平滑にすることが効果的で有る。
【００４４】
一次賦型シート原反の基材層の賦型層側の表面粗さＳaは、０μｍ以上、１５μｍ未満が好ましい。原反賦型層表面をミラー光沢仕様にする場合や、後工程で回折光沢を呈する微細柄凹凸模様を賦型する場合には、０μｍ以上、０．５μｍ未満がより好ましく、原反賦型層表面を艶消しのマット仕様にする場合や後工程でマット質感を呈する微細柄凹凸模様を賦型する場合には、０μｍ以上、１５μｍ未満が好ましい。ここで、Ｓaが０μｍということは、Ｓが測定限界以下であったことを示す。
【００４５】
また、一次賦型シート原反の基材層の賦型層側の表面粗さＳzは、３μｍ以上、２５０μｍ未満が好ましく、５μｍ以上、１５０μｍ未満がより好ましい。原反賦型層表面をミラー光沢仕様にする場合や後工程で回折光沢を呈する微細柄凹凸模様を賦型する場合には、３μｍ以上、２０μｍ未満がより好ましく、５μｍ以上、２０μｍ未満が更に好ましく、原反賦型層表面を艶消しのマット仕様にする場合や後工程でマット質感を呈する微細柄凹凸模様を賦型する場合には、３μｍ以上、２５０μｍ未満が好ましく、５μｍ以上、１５０μｍ未満がより好ましい。
【００４６】
ここで、ＳaとＳzはＪＩＳ  Ｂ０６０１  ２００１で定められた算術平均粗さであり、形状解析レーザ顕微鏡（株式会社キーエンス製ＶＫ−８７１０）等を用いて測定できる。
ＳaやＳzが上記範囲よりも大きいと、微細柄凹凸模様の賦型にムラが生じ易くなり、特に、回折光沢の発現を阻害する虞がある。ＳaやＳzが上記範囲よりも小さいと、作製するための費用が高くなる一方で効果は限定的である。コストと性能の両立の観点から、ＳaやＳzは上記の範囲であることが好ましい。
本発明においては、上記範囲のＳaやＳzの、平滑な樹脂フィルムまたはシートを選択的に用いることが出来る。これにより、微細柄凹凸模様が広く浅い場合であっても、高精度に賦型し得るものである。
【００４７】
基材層の厚さは賦型層を支持できる厚みで有れば特に限定されることはないが、８μｍ以上、３００μｍ以下であることが好ましく、１０μｍ以上、２００μｍ以下であることがより好ましい。
上記範囲よりも厚いと、賦型層を積層及び加工する際に支持性の効果向上は限定的である一方で、剛性が強くなり過ぎる虞がありコストも増大する。また上記範囲よりも薄いと、賦型層を積層及び加工する際の支持性が不足する虞がある。
【００４８】
（平滑化層）
平滑化層は、基材層表面を更に平滑化して賦型層の賦型転写性を向上させるものであり、必要に応じて、基材層の賦型層側の面に設けられる。但し、賦型層の賦型形状耐久性は、若干低下し易い傾向になる。
平滑化層は、ポリオレフィン系樹脂等からなる平滑化樹脂層を、塗布や押出コーティングにより形成して有していてもよく、超鏡面チルロール等で表面粗さを調整しても良い。
平滑化層の厚さは、特に限定されないが、１０μｍ〜６０μｍが好ましい。
【００４９】
（アンカーコート層）
アンカーコート層は、基材層表面と賦型層との密着性を向上させる目的で、必要に応じて設けられる層である。本発明においては、プライマーコート、アンカーコート等の塗布処理等の総称として用い、コロナ放電処理、オゾン処理等の易接着性処理と併用することもできる。また、基材樹脂フィルムまたはシートと平滑化層との密着性を向上させるために設けることもできる。
アンカーコート層は、例えば、水溶性、または、水分散型のエマルジョンもしくはディスパージョンのアンカーコート剤を塗布することにより形成できる。
【００５０】
このアンカーコート剤としては、ポリプロピレン系、変性ポリオレフィン系、エチレン−酢酸ビニル共重合体系、ポリエチレンイミン系、ポリブタジエン系、ポリウレタン系、ポリエステル系樹脂のエマルジョンもしくはディスパージョンのほか、ポリ塩化ビニルエマルジョン、ウレタンアクリル樹脂エマルジョン、シリコンアクリル樹脂エマルジョン、酢酸ビニルアクリル樹脂エマルジョン、アクリル樹脂エマルジョン、そして、スチレン−ブタジエン共重合体ラテックス、アクリロニトリル−ブタジエン共重合体ラテックス、メチルメタクリレート−ブタジエン共重合体ラテックス、クロロプレンラテックス、ポリブタジエンラテックスなどのゴム系ラテックス、ポリアクリル酸エステルラテックス、ポリ
塩化ビニリデンラテックス、或いはこれらのラテックスのカルボキシル変性物、また、水溶性アンカーコート剤としては、ポリビニルアルコール、水溶性エチレン−酢酸ビニル共重合体、ポリエチレンオキサイド、水溶性アクリル樹脂、水溶性エポキシ樹脂、水溶性セルロース誘導体、水溶性ポリエステル、水溶性イソシアネート、水溶性リグニン誘導体などの水溶液を使用することができる。
【００５１】
これらの中でもポリプロピレン系または変性ポリオレフィン系樹脂のエマルジョンもしくはディスパージョンは、紙に対するポリプロピレン系樹脂層の積層強度を一層強くでき、かつ、耐熱性にも優れる点で好ましい。
上記アンカーコート剤の塗布方法としては、例えば、グラビアコート法、リバースロールコート法、ナイフコート法、キスコート法などで塗布することができ、その塗布量としては、乾燥時の塗布量で０．１ｇ／ｍ2〜５ｇ／ｍ2が好ましい。
【００５２】
［賦型層］
本発明において、一次賦型シート原反の賦型層は、基材層の一方の面に積層された紫外線硬化性樹脂または紫外線硬化性樹脂組成物（以降、総称として、紫外線硬化性樹脂組成物とも記載する）からなる層である。
本発明において、前記紫外線硬化性樹脂組成物は、無溶剤型であっても、溶剤型であっても良く、更に必要に応じて、分散剤、粘度調節剤、着色剤、帯電防止剤、無機や有機の微粒子等が含まれていてもよい。紫外線硬化性樹脂組成物を用いることによって、高い微細柄凹凸模様の形成精度が達成され易い。
【００５３】
紫外線硬化性樹脂組成物に含有される具体的な紫外線硬化性樹脂としては、一次賦型シート原反の賦型層として機能することができれば特に限定されることはないが、（メタ）アクリル系樹脂、アクリル酸エステル共重合体等を含むことが好ましい。これらの樹脂は、一種を単独で用いてもよいし二種以上を組み合わせて用いてよい。
更に、硬化性や強靭性や剛性を調整する為に、紫外線硬化性を阻害しない範囲内で、ウレタン系樹脂、エポキシ系樹脂、エステル系樹脂、等を併用することも可能である。
【００５４】
賦型層の厚さは、目的とする微細柄凹凸模様にもよるが、２０μｍ以上、２００μｍ以下が好ましく、３０μｍ以上、１５０μｍ以下がより好ましい。
一次賦型シート原反の賦型層の表面粗さＳaは、０．０３μｍ以上、５μｍ未満が好ましく、一次賦型シート原反賦型層表面をミラーチルロール等を用いてミラー光沢仕様にする場合や後工程で回折光沢を呈する微細柄凹凸模様を賦型する場合には、０．０３μｍ以上、０．５μｍ未満がより好ましく、一次賦型シート原反賦型層表面をマットチルロール等を用いて艶消しのマット仕様にする場合や後工程でマット質感を呈する微細柄凹凸模様を賦型する場合には、０．０３μｍ以上、５μｍ未満が好ましい。
【００５５】
［一次賦型シート原反の作製］
一次賦型シート原反の賦型層は、例えば、紫外線硬化性樹脂組成物を基材フィルムに塗布することで形成されるが、形成方法は特に限定されることはなく、例えば、ダイコート法やグラビアコート法が挙げられ、他には、基材フィルムをロールに巻き付かせた状態で流動性を有する紫外線硬化性樹脂組成物に浸して、基材フィルムの片面にだけ紫外線硬化性樹脂組成物を積層して、一定厚みでしごいて形成する方法も挙げられる。
【００５６】
紫外線硬化性樹脂組成物に流動性を有せしめる方法としては、溶剤を加えて流動性を有せしめても、流動性を有する樹脂原料を用いて流動性を有せしめても、加熱によって流動性を有せしめてもよい。
上記方法で作製された一次賦型シート原反は、必要に応じて賦型層を乾燥してもよい。また、一次賦型シートを作製しつつ、連続して直後に賦型して一次賦型シートを作製して
もよい。
【００５７】
［一次賦型シートの作製］
一次賦型シートの作製工程は、一次賦型シート原反への微細柄凹凸模様の転写工程であり、上記の工程１に該当する。
本工程において、一次賦型シート原反の賦型層には、ドラム状賦型版表面からの表面態様の転写によって、微細柄凹凸模様を賦型し得る表面態様が形成される。
【００５８】
図１２、１３に一次賦型シートの作製工程の１例を示した。
先ず、一次賦型シート原反は、例えば、一次賦型シート原反の賦型層を加熱や溶剤含有等によって流動性を有している状態にされて、該賦型層がドラム状賦型版表面に接するように一次賦型シート原反を巻き付けられて、圧着によって前記ドラム状賦型版の表面凹凸形状を該賦型層に転写される。
【００５９】
そして、一次賦型シート原反は、ドラム状賦型版に巻き付けられている状態で、基材層側から紫外線を照射されて、前記紫外線硬化性樹脂組成物が硬化される。
次いで、一次賦型シート原反は冷却されて、賦型層の表面凹凸形状が固定されてから、ドラム状賦型版から離型されて、一次賦型シートが得られる。
【００６０】
一次賦型シート原反及び一次賦型シートは、ロール巻きされたような連続シート状であってもよく、枚葉シート状でもよい。枚葉シート状の一次賦型シートは、枚葉シート状の一次賦型シート原反から作製されたものであっても、連続シート状の一次賦型シートを切断して得たものであってもよい。
尚、上記の加熱と冷却の手段には、公知の種々の方法を適用することが可能である。
【００６１】
具体的な加熱手段としては、例えば、一次賦型シート原反がドラム状賦型版に巻き付けられる前に熱風を当てる方法、ドラム状賦型版手前の送りロールやドラム状賦型版を内部からスチームや誘電加熱等で加熱する方法、等が挙げられる。
各種加熱手段は、単独でも、２種以上を組み合わせて適用することも可能である。また、送りロールとドラム状賦型版とで一次賦型シート原反を挟んで加熱してもよい。
【００６２】
具体的な冷却手段としては、例えば、ドラム状賦型版を内部から冷媒等で冷却する方法、紫外線照射後に冷風を当てる方法、ドラム状賦型版後の取り出しロールを冷却する方法、等が挙げられる。
各種冷却手段は、単独でも、２種以上を組み合わせて適用することも可能である。冷却された取り出しロールとドラム状賦型版とで一次賦型シート原反を挟んでもよい。
【００６３】
加熱温度は、紫外線硬化性樹脂組成物の組成によって異なり、紫外線硬化性樹脂組成物が室温で固形の場合には、紫外線硬化性樹脂組成物が十分にドラム状賦型版の表面形状を賦型され得て且つ基材層から落下しないくらいの流動性を有した状態になる程度の温度が必要であり、溶剤含有等によって紫外線硬化性樹脂組成物が室温で流動性を有している場合には、加熱は不要にすることもできる。賦型層が３０〜１３０℃になるように調製することが好ましい。
【００６４】
冷却温度は、紫外線硬化性樹脂組成物の硬化物の物性に応じた、賦型層が形状を損なうことなく離型可能な程度に適度に硬くなる程度の低温がよく、賦型層が２０〜５０℃になるように調製することが好ましい。
【００６５】
＜一次賦型シート＞
一次賦型シートは、一次賦型シート原反から作製されたものであり、賦型層と基材層と
からなり、賦型層には微細柄凹凸模様が形成されている。図７に一次賦型シートの１例を表す斜視図を示した。
【００６６】
［賦型層］
図７からわかるように、一次賦型シートの賦型層は、基部と賦型部とが一体となって構成されている。
一次賦型シートの賦型層は、賦型シート賦型層に、目的とする微細柄凹凸を転写して形成し得る表面態様の構造部位を転写によって形成し得る表面態様、すなわち、目的とする意匠シート上の微細柄凹凸模様と略同型状の微細柄凹凸模様の表面態様を有する。
賦型層基部の厚さは特に限定されることはないが、１０μｍ以上、１５０μｍ以下が好ましく、１５μｍ以上、１００μｍ以下がより好ましい。上記範囲より薄いと賦型シートが破れやすくなり、上記範囲より厚いと柔軟性に欠け、使い勝手が悪くなる傾向にある。
賦型層の厚さや基部の厚さは、特に限定されることは無く、微細柄凹凸模様の構造との関係で適宜決定されることが好ましい。
【００６７】
［基材層］
一次賦型シートの基材層は、一次賦型シート原反と同様ではあるが、場合によっては、賦型層に賦型された微細柄凹凸模様が反映された凹凸構造を有していてもよい。
【００６８】
＜賦型シート原反＞
賦型シート原反は賦型層と基材層とを有する積層体である。
更には、基材層の賦型層側表面を平滑化するために、基材層は平滑化層を含むこともできる。
また更には、基材層と賦型層との密着性を向上させる目的で、基材層表面がコロナ放電処理、オゾン処理等の易接着性処理が施されていてもよく、プライマーやアンカーコート剤等から成るアンカーコート層を、基材層表面に含むこともできる。
賦型シート原反は、枚葉シート状でもよく、ロール巻きされたような連続シート状であってもよい。
【００６９】
［基材層］
本発明において、賦型シート原反の基材層は、賦型性、耐屈曲性、剛性等を持たせるものであり、一般に樹脂皮革製造用の離型シートや工程紙に用いられる従来公知の材質の基材を用いることができる。
例えば、各種の紙基材や樹脂フィルムまたはシート、金属箔、織布、不織布、クレー、およびこれらいずれかの積層体等の１種または２種以上を組み合わせて使用することができる。また、樹脂を塗布して用いることも出来る。
本発明においては、熱劣化を生じさせにくく、賦型シート原反の賦型層との密着性が高いという観点では、紙基材を用いるのが好ましく、耐熱性及び表面平滑性が特に必要な場合は、ポリエチレンテレフタレート、ポリエチレンナフタレート等のポリエステル基材を用いるのが好ましい。
賦型シート原反の賦型層が紫外線硬化性樹脂または紫外線硬化性樹脂組成物からなる場合には、賦型シート原反の基材層には、一次賦型シートで用いられたのと同様な、紫外線透過性の、樹脂フィルムまたはシートを用いることが好ましい。
【００７０】
賦型シート原反の賦型層の表面を平滑にするためには、賦型シート原反の基材層の表面をも平滑にすることが効果的で有り、賦型シート原反の基材層の賦型層側の表面粗さＳaは、０．３μｍ以上、１５μｍ未満が好ましく、１．０μｍ以上、１５μｍ未満がより好ましい。
原反賦型層表面をミラー光沢仕様にする場合や後工程で回折光沢を呈する微細柄凹凸模様を賦型する場合には、０．３μｍ以上、５μｍ未満が好ましく、１．０μｍ以上、５μ
ｍ未満がより好ましい。また、原反賦型層表面を艶消しのマット仕様にする場合や後工程でマット質感を呈する微細柄凹凸模様を賦型する場合には、０．３μｍ以上、１５μｍ以下が好ましく、１．０μｍ以上、１５μｍ以下がより好ましい。
賦型シート原反基材層の賦型層側の表面粗さＳzは、３μｍ以上、２５０μｍ未満が好ましく、５μｍ以上、１５０μｍ未満がより好ましい。
原反賦型層表面をミラー光沢仕様にする場合や後工程で回折光沢を呈する微細柄凹凸模様を賦型する場合には、３μｍ以上、２０μｍ未満がより好ましく、５μｍ以上、２０μｍ未満が更に好ましい。
【００７１】
また、原反賦型層表面を艶消しのマット仕様にする場合や後工程でマット質感を呈する微細柄凹凸模様を賦型する場合には、３μｍ以上、２５０μｍ未満が好ましく、５μｍ以上、１５０μｍ未満がより好ましい。
上記範囲よりもＳaやＳzが大きいと、賦型シート原反賦型層の平滑性が低下する虞があり、更には、賦型シート原反賦型層への微細柄凹凸模様の賦型にムラが生じ易くなり、該賦型シートを用いて作製される意匠シートの回折光沢の発現を阻害する虞がある。
上記範囲よりもＳaやＳzが小さいと、賦型シート原反を作製するための費用が高くなる一方で効果は限定的である。コストと性能の両立の観点から、賦型シート原反基材層の平滑性は上記の範囲であることが好ましい。
【００７２】
賦型シート原反基材層の厚さは特に限定されることはないが、２０μｍ以上、９００μｍ以下であることが好ましく、２５μｍ以上、２００μｍ以下であることが更に好ましく、５０μｍ以上、１５０μｍ以下であることがより好ましい。
上記範囲よりも厚いと、剛性が強くなり過ぎる虞が有り、コストが増大する一方で支持の効果向上は限定的である。また上記範囲よりも薄いと、賦型シート原反賦型層を積層及び加工する際に支持性が不足する虞がある。
【００７３】
（樹脂フィルムまたはシート）
賦型シート原反基材層に用いられる樹脂は、フィルムやシートとして用いることが出来、塗布して用いることも出来る。
賦型シート原反基材層に用いられる具体的な樹脂としては、例えば、ポリエチレンテレフタレート（ＰＥＴ）等のポリエステル系樹脂、各種ナイロン等のポリアミド系樹脂、ポリエチレン系樹脂、ポリプロピレン系樹脂、環状ポリオレフィン樹脂、ポリスチレン系樹脂、アクリロニトリル−スチレン共重合体（ＡＳ樹脂）、アクリロニトリル−ブタジエン−スチレン共重合体（ＡＢＳ樹脂）、ポリブテン樹脂等のポリオレフィン系樹脂、ポリ塩化ビニル系樹脂、ポリカーボネート系樹脂、ポリイミド系樹脂、ポリアミドイミド系樹脂、ポリアリールフタレイト樹脂、シリコーン系樹脂、ポリスルホン系樹脂、ポリフェニレンスルフィド系樹脂、ポリエーテルスルホン系樹脂、ポリウレタン系樹脂、セルロース系樹脂、ポリ（メタ）アクリル系樹脂、ポリ塩化ビニリデン、アセタール系樹脂、フッ素系樹脂、その他等を使用することができ、特に、ポリエステル系樹脂、ポリプロピレン系樹脂、または、ポリアミド系樹脂のフィルムまたはシートを使用することがより好ましく、特に、ＰＥＴフィルムまたはシート、特に易接着ＰＥＴフィルムまたはシートが好ましく使用される。
【００７４】
（紙基材）
賦型シート原反基材層の構成材料には、紙基材を用いることが出来る。
具体的な紙基材としては、例えば、強サイズ性の晒または未晒の紙基材、あるいは純白ロ−ル紙、クラフト紙、板紙、コート紙、キャストコート紙、加工紙、上質紙、等を使用することができる。
上記において、紙基材としては、好ましくは坪量約８０ｇ／ｍ2〜６００ｇ／ｍ2位のもの、より好ましくは坪量約１００ｇ／ｍ2〜４５０ｇ／ｍ2位のものを使用することが望ま
しい。
【００７５】
紙基材のパルプとしては、賦形層に大柄凹凸模様や微細柄凹凸模様を形成する工程や合成皮革を作製する際の工程に耐えうる強度と平滑性を得るために針葉樹パルプ（Ｎ材）と広葉樹パルプ（Ｌ材）を混合したものが好ましい。その場合、平滑性を高めるため、広葉樹パルプ（Ｌ材）の混合率は５０％〜９０％が好ましい。
紙基材は、離型紙の充分な耐熱性を得るために、中性紙であることが必要であり、サイズ剤としてアルキルケテンダイマーを用いてサイズした中性紙が好ましい。
【００７６】
紙基材の坪量は、好ましくは坪量約８０ｇ／ｍ2〜６００ｇ／ｍ2位のもの、より好ましくは坪量約１００ｇ／ｍ2〜４５０ｇ／ｍ2位のものを使用することが望ましいが、特に、合成皮革作成用途においては、強度、合成皮革加工作業性、離型紙の繰り返し使用耐久性及びエンボス加工適性の面から１００ｇ／ｍ2〜２００ｇ／ｍ2であることが更に好ましい。
坪量が１００ｇ／ｍ2よりも低いと合成皮革の製造時にカールや波打ちが発生し易くなる。逆に坪量が２００ｇ／ｍ2より高くなるとエンボス加工性が悪く、また離型紙が厚くなることによりその巻き径が大きくなって作業能率が低下する。
【００７７】
紙基材の厚さは、合成皮革作成用途では、好ましくは１００μｍ〜９００μｍ、より好ましくは１５０μｍ〜６００μｍのものを使用することができるが、汎用的には１０μｍ〜２００μｍのものを使用することが好ましい。
【００７８】
クラフト紙や上質紙等のように表面が比較的粗い材料を紙基材として賦型シート原反基材層に用いる場合には、紙基材の上の平滑性を向上させることができる。
【００７９】
（平滑化層）
平滑化層は賦型シート原反基材層の賦型層側の面に、必要に応じて設けられ、賦型シート原反基材層の表面を平滑化するものである。
平滑化層の厚さは、特に限定されないが、１０μｍ〜６０μｍが好ましい。
平滑化層は、例えば、クレーコート層や、平滑化樹脂層からなり、各々を単独で用いても良く、２種を組み合わせて用いてもよい。
【００８０】
クレーコート層はクレーとしては、一般的にクレー、粘土と呼ばれるものであれば、特に限定することなく用いることができる。具体的には、例えば、カオリン、タルク、ベントナイト、スメクタイト、バーミキュライト、雲母、緑泥石、木節粘土、ガイロメ粘土、ハロイサイト、マイカ等を用いることができる。
【００８１】
タルクは硬度が低く（モース硬度１）、耐熱性に優れるため、耐熱性の向上やエンボス加工時の寸法安定性を向上させることができる。
逆に、平滑化層の硬度の高い方が、平滑化層の上に形成される賦型シート原反賦型層において紙基材の地合いの影響を受けにくく、この結果、賦型シート原反賦型層の表面が均一となるので、版面の凹凸構造の転写性（賦形性）が向上する。
【００８２】
クレーコート層は、クレーの他に、顔料として、炭酸カルシウム、二酸化チタン、非晶質シリカ、発泡性硫酸バリウム、サチンホワイト等を含んでいることが好ましい。顔料として炭酸カルシウムや二酸化チタンを用いることにより、クレーコート層の表面の平滑度を更に上げることができる。また、炭酸カルシウムは安価であるため、好適に用いられる。
クレーコート層を塗布するための塗布液は、溶媒に上記クレーと、バインダーと、必要に応じて他の顔料や添加剤を含む。溶媒としては、通常、水、アルコール等が用いられる
。バインダーとしては、通常、ラテックス系のバインダー（例えば、スチレンブタジエンラテックス、アクリル系ラテックス酢酸ビニル系ラテックス）、水溶性のバインダー（例えば、デンプン（変性デンプン、酸化デンプン、ヒドロキシエチルエーテル化デンプン、リン酸エステル化デンプン）、ポリビニルアルコール、カゼイン等）が用いられる。添加剤としては、顔料分散剤、消泡剤、発泡防止剤、粘度調整剤、潤滑剤、耐水化剤、保水剤等が用いられる。
【００８３】
クレーコート層の塗布方法は、特に限定されないが、エアナイフコート、ブレードコート、ショートドウェルコート、キャストコート等の塗布方法が用いられる。  クレーコート層の塗布量や厚さは、特に限定されないが、通常、乾燥後の坪量が５ｇ／ｍ2〜４０ｇ／ｍ2が好ましく、１０ｇ／ｍ2〜４０ｇ／ｍ2が更に好ましい。
乾燥後の坪量が５ｇ／ｍ2未満であると、平滑性が劣る場合がある。乾燥後の坪量が４０ｇ／ｍ2を超えると、クレーコート層の凝集破壊等による密着性低下の可能性があり、コストパフォーマンス面に劣る。
【００８４】
平滑化樹脂層としては、ポリオレフィン系樹脂を用いることが好ましい。クレーコート層と併用する場合は、クレーコート層上の賦型層側に形成することが、クレーコート層のみの場合よりも平滑度の高い基材層表面を得ることが可能であり、好ましい。
平滑化樹脂層の形成は、押出コーティングや塗布による方法が好ましい。
平滑化樹脂層の厚さは、特に限定されないが、１０μｍ〜６０μｍが好ましい。
【００８５】
（アンカーコート層）
賦型シート原反基材層と賦型シート原反賦型層との密着性を向上させる目的で、必要に応じて、基材層表面にアンカーコート層を設けることができる。本発明においては、プライマーコート、アンカーコート等の塗布処理等の総称としてアンカーコートと記載する。
アンカーコート層を設ける際には、コロナ放電処理、オゾン処理等の易接着性処理と併用することもできる。
例えば、基材層が平滑化層としてクレーコート層を有している場合、クレーコート層の表面は滑性が良い為、押出しラミネートした樹脂との接着性が劣る傾向であるが、アンカーコート層を形成することにより、接着性を高めることができる。
【００８６】
アンカーコート層は、例えば、水溶性、または、水分散型のエマルジョンもしくはディスパージョンのアンカーコート剤を塗布することにより形成できる。
このアンカーコート剤としては、ポリプロピレン系、変性ポリオレフィン系、エチレン−酢酸ビニル共重合体系、ポリエチレンイミン系、ポリブタジエン系、ポリウレタン系、ポリエステル系樹脂のエマルジョンもしくはディスパージョンのほか、ポリ塩化ビニルエマルジョン、ウレタンアクリル樹脂エマルジョン、シリコンアクリル樹脂エマルジョン、酢酸ビニルアクリル樹脂エマルジョン、アクリル樹脂エマルジョン、そして、スチレン−ブタジエン共重合体ラテックス、アクリロニトリル−ブタジエン共重合体ラテックス、メチルメタクリレート−ブタジエン共重合体ラテックス、クロロプレンラテックス、ポリブタジエンラテックスなどのゴム系ラテックス、ポリアクリル酸エステルラテックス、ポリ塩化ビニリデンラテックス、或いはこれらのラテックスのカルボキシル変性物、また、水溶性アンカーコート剤としては、ポリビニルアルコール、水溶性エチレン−酢酸ビニル共重合体、ポリエチレンオキサイド、水溶性アクリル樹脂、水溶性エポキシ樹脂、水溶性セルロース誘導体、水溶性ポリエステル、水溶性イソシアネート、水溶性リグニン誘導体などの水溶液を使用することができる。
これらの中でもポリプロピレン系または変性ポリオレフィン系樹脂のエマルジョンもしくはディスパージョンは、紙に対するポリプロピレン系樹脂層の積層強度を一層強くでき、かつ、耐熱性にも優れる点で好ましい。
【００８７】
アンカーコート剤の塗布方法としては、例えば、グラビアコート法、リバースロールコート法、ナイフコート法、キスコート法などで塗布することができ、その塗布量としては、乾燥時の塗布量で０．１ｇ／ｍ2〜５ｇ／ｍ2が好ましい。
【００８８】
［賦型層］
本発明において、賦型シート原反賦型層は、賦型シート原反基材層の一方の面に積層された、樹脂または樹脂組成物からなる層であり、意匠シート表面に目的とする微細柄凹凸模様構造の表面態様を転写して形成し得る表面態様を有し得るものである。
本発明において、前記樹脂または前記樹脂組成物は、無溶剤型であっても、溶剤型であっても良く、更に必要に応じて、分散剤、粘度調節剤、着色剤、帯電防止剤、無機や有機の微粒子等が含まれていてもよい。
本発明において、賦型シート原反賦型層の樹脂または樹脂組成物には、賦型シート原反賦型層として機能することができれば特に限定されることはなく、各種の熱可塑性樹脂、熱硬化性樹脂、紫外線硬化性樹脂等を使用することができる。これらの樹脂は、一種を単独で用いてもよいし二種以上を組み合わせて用いてよい。
【００８９】
熱可塑性樹脂としては、ポリアクリレート、ポリメチルメタクリレート等のポリ（メタ）アクリル系樹脂；ポリエチレン系樹脂、ポリプロピレン系樹脂、又はポリメチルペンテン系樹脂等のポリオレフィン系樹脂；メラミンアルキッド樹脂、ポリエチレンテレフタレート、ポリブチレンテレフタレート等のポリエステル系樹脂；ポリ塩化ビニル等のビニル系樹脂；ポリスチレン等のスチレン系樹脂；ポリカーボネート樹脂；、ポリアミド樹脂（ナイロン）、ポリビニルアルコール等が挙げられる。これらの樹脂は、一種を単独で用いてもよいし二種以上を組み合わせて用いてよい。
【００９０】
熱硬化性樹脂としては、例えば、不飽和ポリエステル樹脂、メラミン系樹脂、エポキシ樹脂、ポリエステル（メタ）アクリレート、ウレタン（メタ）アクリレート、エポキシ（メタ）アクリレート、ポリエーテル（メタ）アクリレート、ポリオール（メタ）アクリレート、メラミン（メタ）アクリレート、トリアジン系アクリレート、シリコーン樹脂等が挙げられる。これらの樹脂は、一種を単独で用いてもよいし二種以上を組み合わせて用いてよい。
【００９１】
紫外線硬化性樹脂としては、例えば、（メタ）アクリル系樹脂、アクリル酸エステル共重合体等が挙げられる。これらの樹脂は、一種を単独で用いてもよいし二種以上を組み合わせて用いてよい。更に、硬化性や強靭性や剛性を調整する為に、紫外線硬化性を阻害しない範囲内で、ウレタン系樹脂、エポキシ系樹脂、エステル系樹脂、等を併用することも可能である。
【００９２】
汎用用途としては、熱可塑性樹脂の、ポリプロピレン系樹脂が好ましい。賦型シートに耐熱性が要求される場合には、熱可塑性樹脂の、ポリメチルペンテン系樹脂が好ましい。賦型部の微細柄凹凸模様に高度な形成精度が要求される場合には、紫外線硬化性樹脂を用いることが好ましい。
【００９３】
賦型シート原反賦型層の厚みは、１０μｍ以上、４００μｍ以下が好ましく、５０μｍ以上、３００μｍ以下がより好ましく、１００μｍ以上、２００μｍ以下が更に好ましい。上記範囲より薄いと耐久性に劣る傾向になり、上記範囲よりも厚いと材料コストが上昇する。
賦型層を冷却して固形化して、賦型シート原反を一旦巻き取って保管する場合等は、賦型層表面は平滑であることが好ましい。
【００９４】
賦型シート原反賦型層の表面粗さのＳaは、０．０３μｍ以上、５μｍ未満が好ましく
、原反賦型層表面をミラー光沢仕様にした場合や後工程で回折光沢を呈する微細柄凹凸模様を賦型する場合には、０．０３μｍ以上、０．５μｍ未満がより好ましく、賦型層表面を艶消しのマット仕様にした場合や後工程でマット質感を呈する微細柄凹凸模様を賦型する場合には、０．０３μｍ以上、５μｍ未満が好ましい。
賦型シート原反賦型層の表面粗さのＳzは、３μｍ以上、２５０μｍ未満が好ましく、５μｍ以上、１５０μｍ未満がより好ましい。
原反賦型層表面をミラー光沢仕様にした場合や後工程で回折光沢を呈する微細柄凹凸模様を賦型する場合には、３μｍ以上、４０μｍ未満がより好ましく、５μｍ以上、４０μｍ未満が更に好ましい。
【００９５】
また、賦型層表面を艶消しのマット仕様にした場合や後工程でマット質感を呈する微細柄凹凸模様を賦型する場合には、３μｍ以上、２５０μｍ未満が好ましく、５μｍ以上、１５０μｍ未満がより好ましい。
上記範囲よりもＳaやＳzが大きいと、意匠シート表面への微細柄凹凸模様の賦型にムラが生じ易くなり、意匠シートの回折光沢の発現を阻害する虞もある。
上記範囲よりもＳaやＳzが小さいと、賦型シート原反を作製するための費用が高くなる一方で効果は限定的である。コストと性能の両立の観点から、賦型シート賦型層の平滑性は上記の範囲であることが好ましい。
【００９６】
原反賦型層表面をミラー光沢仕様や回折光沢仕様にする場合は、ミラーチルロール等を用いることができ、賦型層表面を艶消しのマット仕様やマット質感仕様にする場合は、マットチルロール等を用いることができる。
【００９７】
［賦型シート原反の作製方法］
賦型シート原反は、例えば、賦型シート原反基材層の片方の面に樹脂または樹脂組成物からなる賦型シート原反賦型層を形成して作製される。
賦型シート原反賦型層の形成方法は特に限定されることはなく、例えば、押出しコート、ロールコート、リバースロールコート、マイクロバーコート、バーコート、ナイフコート、グラビアコート等の塗布方法を挙げることができる。
賦型シート原反の賦型層の表面が上記のような平滑性を有する賦型シート原反は、例えば、特に、クレーコート紙等を用いた賦型シート原反基材層に、賦型シート原反賦型層用の樹脂を押出チルロール成型して得ることが出来る。
【００９８】
ここで、チルロールの表面の平滑さを調整することによって、賦型シート原反賦型層の表面の平滑さを調整できる。例えば、溶融押出して積層された後、連続して、表面が鏡面加工されたチルロールと押圧ロールとの間を、賦型シート原反賦型層が鏡面のチルロールに接するように通すことにより、得ることができる。
【００９９】
その際に使用する鏡面のロールとしては、ロールにクロムメッキを施した後、ウェットブラスト、ドライブラスト処理が施されたミラー系またはセミミラー系のロールをいう。また、鏡面のロールは、賦型シート原反基材層の表面より平滑なロールの表面であれば、超微細マット系のロールも含む。この鏡面のロールを用いることにより、賦型シート原反賦型層表面の平滑度を調節することができる。
【０１００】
賦型シート原反賦型層が紫外線硬化性樹脂組成物からなる場合は、賦型層の形成方法としては、例えば、ダイコート法やグラビアコート法が挙げられ、他には、賦型シート原反基材層をロールに巻き付かせた状態で、流動性を有する紫外線硬化性樹脂組成物に浸して、賦型シート原反基材層の片面にだけ紫外線硬化性樹脂組成物を積層して、一定厚みでしごいて形成する方法も挙げられる。
【０１０１】
紫外線硬化性樹脂組成物に流動性を有せしめる方法としては、溶剤を加えて流動性を有せしめても、流動性を有する樹脂原料を用い流動性を有せしめても、加熱によって流動性を有せしめてもよい。
上記方法で作製された賦型シート原反は、そのまま連続して賦型シート原反賦型層に微細柄凹凸模様を賦型してもよいし、必要に応じて一旦取り出して、賦型シート原反賦型層の乾燥等を行ってもよい。
賦型シート原反賦型層を形成後に、賦型シート原反賦型層が鏡面のチルロールに接するように、鏡面または超鏡面のチルロールと押圧ロールとの間に通して賦型シート原反賦型層表面を平滑化してミラー仕様表面化することもできる。
【０１０２】
＜微細柄凹凸模様転写済み賦型シート＞
本発明において、微細柄凹凸模様転写済み賦型シートとは、賦型シート原反に微細柄凹凸模様のみが転写されて、その賦型層に微細柄凹凸模様を賦型し得る表面態様が形成されたシートである。
【０１０３】
図８に微細柄凹凸模様転写済み賦型シートの１例を表す斜視図を示した。
微細柄凹凸模様転写済み賦型シートに、更に大柄凹凸模様を追加することによって、賦型シートが得られる。
微細柄凹凸模様転写済み賦型シートは、ロール巻きされたような連続シート状であってもよく、枚葉シート状でもよい。枚葉シート状の微細柄凹凸模様転写済み賦型シートは、枚葉シート状の賦型シート原反から作製されたものであっても、連続シート状の微細柄凹凸模様転写済み賦型シートを切断して得たものであってもよい。
【０１０４】
［基材層］
微細柄凹凸模様転写済み賦型シートは賦型シート原反賦型層に微細柄凹凸加工を施して作製されるものであることから、基材層の素材構成は賦型シート原反基材層と同じであるが、図８に示したように、基材層は、賦型層に賦型された微細柄凹凸模様が反映されて、同様の微細柄凹凸模様構造を有していてもよい。特に、転写時のバックアップロールの表面が柔らかい構成の場合に、容易に反映することができる。
微細柄凹凸模様の構造によっては、基材層に微細柄凹凸模様を反映させることで、賦型層の微細柄凹凸模様を更に容易に高精度に形成することが出来る。
【０１０５】
［賦型層］
微細柄凹凸模様転写済み賦型シートは賦型シート原反賦型層に微細柄凹凸加工を施して作製されるものであることから、賦型層の素材構成は賦型シート原反賦型層と同じであるが、賦型シート賦型層は、賦型部と基部とで構成されている。
賦型部とは、柄として凹凸を有する厚み部分のことであり、基部とは、賦型部の支持部となる厚み部分のことであり、賦型部と基部との間に明確な境界は無く、一体となって賦型層を構成している。
微細柄凹凸模様転写済み賦型シートの賦型層の表面態様の構造は、意匠シート表面に形成される微細柄凹凸模様とは、凹凸構造が反転した表面態様の構造である。
【０１０６】
微細柄凹凸模様転写済み賦型シートの賦型層の基部の厚さは、特に限定されることはないが、例えば、５μｍ以上、３００μｍ以下が好ましく、２５μｍ以上、２８０μｍ以下がより好ましく、５０μｍ以上、１５０μｍ以下が更に好ましい。厚さが上記範囲よりも薄いと微細柄凹凸模様転写済み賦型シート及び賦型シートが破れやすくなり、上記範囲よりも厚いと柔軟性に欠け、使い勝手が悪くなる傾向にある。
微細柄凹凸模様転写済み賦型シートの賦型層の賦型部の厚さや基部の厚さは、特に限定されることは無く、微細柄凹凸模様の構造との関係で適宜決定されることが好ましい。
【０１０７】
＜大柄凹凸模様転写済み賦型シート＞
本発明において、大柄凹凸模様転写済み賦型シートとは、賦型シート原反に大柄凹凸模様のみが転写されて、その賦型層に大柄凹凸模様を賦型し得る表面態様が形成されたシートである。
【０１０８】
図９に大柄凹凸模様転写済み賦型シートの１例を表す斜視図を示した。
大柄凹凸模様転写済み賦型シートに、更に微細柄凹凸模様を追加することによって、賦型シートが得られる。
大柄凹凸模様転写済み賦型シートは、ロール巻きされたような連続シート状であってもよく、枚葉シート状でもよい。枚葉シート状の大柄凹凸模様転写済み賦型シートは、枚葉シート状の賦型シート原反から作製されたものであっても、連続シート状の大柄凹凸模様転写済み賦型シートを切断して得たものであってもよい。
【０１０９】
［基材層］
大柄凹凸模様転写済み賦型シートは賦型シート原反賦型層に大柄凹凸加工を施して作製されるものであることから、基材層の素材構成は賦型シート原反基材層と同じであるが、図９に示したように、基材層は、賦型層に賦型された微細柄凹凸模様が反映されて、同様の大柄凹凸模様構造を有していてもよい。特に、転写時のバックアップロールの表面が柔らかい構成の場合に、容易に反映することができる。
大柄凹凸模様の構造によっては、基材層に大柄凹凸模様を反映させることで、賦型層の大柄凹凸模様を更に容易に高精度に形成することが出来る。
【０１１０】
［賦型層］
大柄凹凸模様転写済み賦型シートは賦型シート原反賦型層に大柄凹凸加工を施して作製されるものであることから、賦型層の素材構成は賦型シート原反賦型層と同じであるが、賦型シート賦型層は、賦型部と基部とで構成されている。
賦型部とは、柄として凹凸を有する厚み部分のことであり、基部とは、賦型部の支持部となる厚み部分のことであり、賦型部と基部との間に明確な境界は無く、一体となって賦型層を構成している。
大柄凹凸模様転写済み賦型シートの賦型層の表面態様の構造は、意匠シート表面に形成される大柄凹凸模様とは、凹凸構造が反転した表面態様の構造である。
【０１１１】
大柄凹凸模様転写済み賦型シートの賦型層の基部の厚さは、特に限定されることはないが、例えば、５μｍ以上、３００μｍ以下が好ましく、２５μｍ以上、２８０μｍ以下がより好ましく、５０μｍ以上、１５０μｍ以下が更に好ましい。
厚さが上記範囲よりも薄いと大柄凹凸模様転写済み賦型シート及び賦型シートが破れやすくなり、上記範囲よりも厚いと柔軟性に欠け、使い勝手が悪くなる傾向にある。
大柄凹凸模様転写済み賦型シートの賦型層の賦型層の厚さや基部の厚さは、特に限定されることは無く、大柄凹凸模様の構造との関係で適宜決定されることが好ましい。
【０１１２】
＜賦型シート＞
本発明において、賦型シートとは、賦型シート原反に微細柄凹凸模様と大柄凹凸模様とが転写されて、その賦型層に、微細柄凹凸模様と大柄凹凸模様とを同時に賦型し得る表面態様が形成されたシートである。
大柄凹凸模様転写済み賦型シートに微細柄凹凸模様を追加することによって、または、微細柄凹凸模様転写済み賦型シートに大柄凹凸模様を追加することによって、賦型シートが得られる。
大柄凹凸模様転写済み賦型シートへの微細柄凹凸模様の追加方法は、賦型シート原反への微細柄凹凸模様の転写と同じであり、賦型シート原反を大柄凹凸模様転写済み賦型シートに変えて行われる。
微細柄凹凸模様転写済み賦型シートへの大柄凹凸模様の追加方法は、賦型シート原反への大柄凹凸模様の転写と同じであり、賦型シート原反を微細柄凹凸模様転写済み賦型シートに変えて行われる。
【０１１３】
賦型シートは、ロール巻きされたような連続シート状であってもよく、枚葉シート状であってもよい。枚葉シート状の賦型シートは、枚葉シート状の大柄凹凸模様転写済み賦型シートまたは微細柄凹凸模様転写済み賦型シートから作製されたものであっても、連続シート状の賦型シートを切断して得たものであってもよい。
【０１１４】
図１０に賦型シートの１例を表す斜視図を示した。この図１０の賦型シートを用いることで、図１１に示された模様の意匠シートが作製される。
【０１１５】
［基材層］
賦型シートは賦型シート原反賦型層に微細柄凹凸加工と大柄凹凸加工とを施して作製されるものであることから、基材層の素材構成は賦型シート原反基材層と同じであるが、図７に示したように、基材層は、賦型層に賦型された凹凸模様が反映されて、同様の凹凸模様構造を有していてもよい。特に、転写時のバックアップロールの表面が柔らかい構成の場合に、容易に反映することができる。
微細柄凹凸模様または大柄凹凸模様の構造によっては、基材層に微細柄凹凸模様または大柄凹凸模様を反映させることで、賦型層の微細柄凹凸模様または大柄凹凸模様を更に容易に高精度に形成することが出来る。
【０１１６】
［賦型層］
本発明において、賦型シート賦型層は、賦型部と基部とで構成されている。賦型部とは、柄として凹凸を有する厚み部分のことであり、基部とは、賦型部の支持部となる厚み部分のことであり、賦型部と基部との間に明確な境界は無く、一体となって賦型層を構成している。
賦型シート賦型層には、意匠シート表面に微細柄凹凸模様を転写によって形成し得る表面態様の構造が形成されている。ここで、賦型シート賦型層の表面態様の構造は、意匠シート表面に形成される微細柄凹凸模様とは、凹凸構造が反転した表面態様の構造である。
賦型シート賦型層の基部の厚さは、特に限定されることはないが、例えば、５μｍ以上、３００μｍ以下が好ましく、２５μｍ以上、２８０μｍ以下がより好ましく、５０μｍ以上、１５０μｍ以下が更に好ましい。厚さが上記範囲よりも薄いと賦型シートが破れやすくなり、上記範囲よりも厚いと柔軟性に欠け、使い勝手が悪くなる傾向にある。
賦型シート賦型層の賦型部の厚さや基部の厚さは、特に限定されることは無く、微細柄凹凸模様と大柄凹凸模様の構造との関係で適宜決定されることが好ましい。
【０１１７】
＜意匠シート＞
本発明において、意匠シートとは、意匠シート原反に微細柄凹凸模様と大柄凹凸模様とが同時に転写されて、その表面樹脂層（賦型層）に、微細柄凹凸模様と大柄凹凸模様の表面態様が形成されたシートである。
意匠シートは、ロール巻きされたような連続シート状であってもよく、枚葉シート状でもよい。枚葉シート状の意匠シートは、枚葉シート状の意匠シート原反から作製されたものであっても、連続シート状の意匠シートを切断して得たものであってもよい。
【０１１８】
図１１は、意匠シートの１例を表した斜視図である。意匠シートは、表面樹脂層、及び必要に応じて、基材層を備えてこれらが積層されている。
表面樹脂層の厚さとしては、特に限定されず、用途及び微細柄凹凸模様と大柄凹凸模様の深さによって異なる。
意匠シートの基材層は、意匠シートの表面樹脂層の基部の線状凹凸部が形成された側と
は反対側に積層された層であり、表面樹脂層を支持している。
【０１１９】
基材層の厚さとしては、表面樹脂層を支持可能な厚さであれば特に限定されないが、例えば２５μｍ以上５００μｍ以下の範囲とすることが出来る。
基材層の材料には、表面樹脂層を支持するとともに、意匠シートの用途に応じた適切な材料が用いられればよく、木綿、麻、絹、羊毛などの天然繊維、レーヨン、アセテートなどの再生または半合成繊維、ポリアミド、ポリエステル、ポリアクリロニトリル、ポリビニルアルコール、ポリオレフィンなどの合成繊維、ガラス纖維等の繊維からなる織布、不織布、網布等の布（基布とも言う）、紙、ポリエステルやポリオレフィンの樹脂からなる樹脂フィルム、金属板（、乃至金属箔）、ガラス板、ガラス織布等の、一般に、合成皮革や人工皮革の基材乃至基布に用いられるものから、樹脂皮革の種類や用途に応じて適宜選択することができる。
【０１２０】
表面樹脂層を構成する樹脂組成物には、各種の熱可塑性樹脂、熱硬化性樹脂、紫外線又は電子線等の電離放射線硬化性樹脂等を使用することができ、樹脂皮革の種類や用途に応じて適宜選択することができる。
具体的な意匠シートの用途としては例えば、合成皮革製品、靴、鞄、ソファー、椅子、乗物の座席等の表面材、箱、包装容器、壁紙や床材等の建築物内裝材、冷蔵庫やテレヴィジョン受像器等の家電製品の表面装飾材等を挙げることができる。
【０１２１】
＜微細柄凹凸模様の転写工程＞
微細柄凹凸模様の転写工程は、賦型シート原反または大柄凹凸模様転写済み賦型シートからなる被転写シート１への、微細柄凹凸模様の転写工程であり、上記の工程２に該当する。
本工程において、被転写シート１の賦型層には、一次賦型シート賦型層からの表面態様の転写によって、微細柄凹凸模様を賦型し得る表面態様が形成される。
【０１２２】
被転写シート１の賦型層への微細柄凹凸模様の転写は、１例として、上記で作製した一次賦型シートと、被転写シート１とを、両者の賦型層面が対向するように重ねて、プレス装置の加圧部品間に挟んで加圧して、一次賦型シート賦型層の表面態様を被転写シート１の賦型層に転写することによって達成される。
【０１２３】
加圧する際には、賦型層が十分な流動性を有していれば加熱の必要は無く、必要に応じて、被転写シート１の賦型層を前以て加熱していてもよく、被転写シート１を加熱しながら加圧してもよく、被転写シート１を冷却しながら加圧してもよい。
加圧後に被転写シート１と一次賦型シートとを離型する際には、被転写シート１の賦型層を冷却していてもよい。
【０１２４】
尚、加熱と冷却の手段には、公知の種々の方法を適用することが可能である。
具体的な加熱手段としては、例えば、プレス装置の一対の加圧部品の片方または両方を内部からスチームや誘電加熱等で加熱する方法、加圧される前に熱風を賦型シート原反に当てる方法、プレス装置手前の送りロールを内部からスチームや誘電加熱等で加熱する方法、等が挙げられる。熱風は必須では無く、上記加熱手段の２種以上を組み合わせて適用することも可能である。
【０１２５】
加熱の温度は、被転写シート１の賦型層が形状を維持しつつも加圧によって変形する程度に適度に柔らかくなる程度の温度がよく、該賦型層の組成によって異なるが、被転写シート１の賦型層が８０〜１３０℃になるように調製することが好ましい。
温度が高すぎると、賦型層が柔らかくなり過ぎて溶融して落下したり、賦型層が変形したり、一次賦型シートと被転写シート１との離型性が低下して、微細柄凹凸模様の賦型に
形状的な欠陥が発生したり、離型直後に形状が崩れたりして、微細柄凹凸形状の維持が困難になる虞がある。
【０１２６】
冷却の温度は、被転写シート１の賦型層が形状を維持可能な程度に適度に硬くなる程度の温度がよく、賦型層の組成によって異なるが、被転写シート１の賦型層が２０〜５０℃になるように調製することが好ましい。
具体的な冷却方法としては、例えば、プレス装置の加圧部品を冷却する方法、加圧後に冷風を当てる方法、加圧後に冷却された離型ロールを冷却する方法、自然放冷等が挙げられる。冷風は必須では無く、上記冷却手段の２種以上を組み合わせて適用することも可能である。
【０１２７】
プレス装置で加圧する際の圧力は、プレス装置の種類や賦型シートの賦型層樹脂種や意匠シート原反の表面樹脂層の組成によっても異なるが、２つのロールで挟む場合や１つのロールと１つの平板とで挟む場合は、線圧が、５ｋｇｆ／ｃｍ以上、３８０ｋｇｆ／ｃｍ以下が好ましく、５ｋｇｆ／ｃｍ以上、２６５ｋｇｆ／ｃｍ以下がより好ましく、１０ｋｇｆ／ｃｍ以上、１００ｋｇｆ／ｃｍ以下が更に好ましい。
２つの平板で挟む場合は、面圧が、２ｋｇｆ／ｃｍ2以上、１５ｋｇｆ／ｃｍ2以下が好ましく、４ｋｇｆ／ｃｍ2以上、１２ｋｇｆ／ｃｍ2以下がより好ましく、８ｋｇｆ／ｃｍ2以上、１０ｋｇｆ／ｃｍ2以下が更に好ましい。
圧力が上記範囲よりも低いと、微細柄凹凸模様によっては転写が不十分になって欠落が出る虞があり、上記版よりも高いと、微細柄凹凸模様によっては、模様の一部または全部が潰れてしまう虞があり、高精度の賦型が困難になり易い。
【０１２８】
本工程にかかるシステムの１例を図１２、１３に示した。被転写シート１の基材層として紙基材が、賦型層として熱可塑性樹脂が適用された例である。
一次賦型シートと被転写シート１とが、一次賦型シートの賦型層と被転写シート１の賦型層とが対向するように重ねられて、被転写シート１側から熱風が当てられて加熱され、矢印で示す方向に送られ、表面が平滑な２つのロールの間に送られて、挟まれて、熱圧される。
適度に柔らかくなっている被転写シート１の賦型層には、一次賦型シート賦型層の表面形状が転写されて、微細柄凹凸模様を賦型し得る表面態様が形成され、次いで、当該形成された状態で、加圧解放直後の位置で、冷風が被転写シート１に当てられて冷却され、該表面態様が固定される。
冷却された被転写シート１と一次賦型シートは、連続的に離型され、各々が巻き取られて、一次賦型シートは回収され、微細柄凹凸模様を賦型可能な表面態様を賦型層に有するシートが得られる。
【０１２９】
図１４は、連続シート状の一次賦型シートと連続シート状の被転写シート１とを用いて、連続状のシートを作製する例である。この形態の場合には、微細柄凹凸模様に、繋ぎの無いデザインを表現可能であり、高度な意匠性を発現可能である。
本発明における別形態のシステムとして、枚葉シートの一次賦型シートを加圧部品上に固定して用いてもよく、特に平滑で硬い表面構成のロールに巻き付けて固定して回転させながら用いることがよい。
この際には、連続シートの被転写シート１のみを繰り出して連続的に熱圧転写して巻き取ってもよく、枚葉シートの被転写シート１を用いて枚葉のシートを作製してもよい。この形態の場合には、少量の枚葉シート状の一次賦型シートを準備するだけで済み、少量多品種の生産に好適であり、コストメリットも大きい。
【０１３０】
＜大柄凹凸模様の転写工程＞
大柄凹凸模様の転写工程は、賦型シート原反または微細柄凹凸模様転写済み賦型シート
からなる被転写シート２への、大柄凹凸模様の転写工程であり、上記の工程３に該当する。
本工程において、被転写シート２の賦型層には、大柄凹凸模様を表面に有するプレス装置の加圧部品からの表面態様の転写によって、大柄凹凸模様を賦型し得る表面態様が形成される。
被転写シート２の賦型層への大柄凹凸模様の転写は、１例として、被転写シート１を賦型層がプレス装置のエンボス側加圧部品に接するようにプレス装置に送り、プレス装置によって挟んで加圧して、好ましくは熱圧して、エンボス側加圧部品の表面態様を被転写シート２の賦型層に転写することによって達成される。
【０１３１】
図１５は、エンボスロールとバックアップロールからなる対ロールと、連続シート状の被転写シート２とを用いて、連続状のシートを作製する例である。この形態の場合には、大柄凹凸模様に、繋ぎの無いデザインを表現可能であり、高度な意匠性を発現可能である。
図１５においては、エンボスロールとバックアップロールの間に、矢印で示したように、被転写シート２は、賦型層がエンボスロール側になるように連続的に送られる。ここでエンボスロールの表面には、被転写シート２の賦型層に、大柄凹凸構造を転写することができる大柄凹凸構造が形成されている。即ち、エンボスロールの表面の大柄凹凸構造は、目的とする意匠シートの表面の大柄凹凸構造と同形状乃至略同形状となっている。
大柄模様の凹部底面部や凸部天面部をより平滑にするためには、エンボスロールは、ヘリオ彫刻よりも、エッチングにより製版したものがより好ましい。
【０１３２】
バックアップロールには、表面が柔らかいバックアップロールと表面が硬いバックアップロールの何れも用いることが可能であるが、好ましくは、表面が柔らかいバックアップロールが用いられる。
送られた被転写シート２は、エンボスロールとバックアップロールに挟まれて、被転写シート２の賦型層は、加圧によって、エンボスロールの表面形状に沿った表面形状に形成され、連続的に離型し、取り出される。
必要に応じて被転写シート２を加熱、冷却することも可能であり、加熱することによって賦型層が柔らかくなって表面形状の形成が容易になり、冷却によって表面形状が固定され、離型が容易になる。
【０１３３】
本発明においては、被転写シート２の素材構成によっては、加圧のみで賦型可能であり、賦型層中の樹脂の軟化点が高い場合等は、更にエンボスロールを加熱することで賦型可能であり、また更に熱風や送りロールの加熱、更には冷却機構を加えることで、仕上がり精度を高めることも可能である。
尚、加熱手段と冷却手段には、公知の種々の方法を適用することが可能である。
【０１３４】
具体的な加熱方法としては、例えば、エンボスロールを内部から加熱する方法、エンボスロールとバックアップロールとで挟まれる前の被転写シート２に熱風を当てる方法、エンボスロール手前の送りロールを加熱する方法、送りロールとエンボスロールとで被転写シート２を挟む方法等が挙げられる。また、該各ロールを加熱する方法は、スチームや誘電加熱が挙げられる。更に、上記の加熱手段の２種以上を組み合わせて適用することも可能である。
加熱の温度は、被転写シート２の賦型層が形状を維持しつつも加圧によって変形する程度に適度に柔らかくなる程度の温度がよく、被転写シート２の賦型層の組成によって異なるが、被転写シート２が８０〜１３０℃になるように調製することが好ましい。温度が高すぎると、被転写シート２の賦型層が柔らかくなり過ぎて、溶融した樹脂が被転写シート２から落下したり、エンボスロールからの離型性が低下して形状的な欠陥が発生したり、離型直後に形状が崩れたりして、凹凸形状の維持が困難になる。温度が低すぎると、被転
写シート２の賦型層が硬すぎて、凹凸形状の形成が困難になったり、通常以上の高圧が必要になる。
【０１３５】
冷却の温度は、被転写シート２の賦型層の樹脂成分に応じた、賦型層が形状を維持可能な程度に適度に硬くなる程度の温度がよく、被転写シート２が２０〜５０℃になるように調製することが好ましい。
具体的な冷却方法としては、例えば、エンボスロールを冷却する方法、エンボスロールとバックアップロールとで挟んだ後の被転写シート２に冷風を当てる方法、エンボスロールとバックアップロールとで挟んだ後に冷却された離型ロールで被転写シート２を冷却する方法、自然放冷等が挙げられる。離型ロールで冷却する場合は、離型ロールとエンボスロールとで被転写シート２を挟んでもよい。上記冷却手段の２種以上を組み合わせて適用することも可能である。
線圧が、５ｋｇｆ／ｃｍ以上、３８０ｋｇｆ／ｃｍ以下が好ましく、５ｋｇｆ／ｃｍ以上、２６５ｋｇｆ／ｃｍ以下がより好ましく、１０ｋｇｆ／ｃｍ以上、１００ｋｇｆ／ｃｍ以下が更に好ましい。
圧力が上記範囲よりも低いと、大柄凹凸模様によっては転写が不十分になって欠落が出る虞があり、上記版よりも高いと、大柄凹凸模様によっては、模様の一部または全部が潰れてしまう虞があり、高精度の賦型が困難になり易い。
【０１３６】
＜意匠シートの作製＞
上記で得られた賦型シートを用いて、意匠シートを次のように作製することができる。
１例として、賦型シートの賦型層に、意匠シート表面の賦型層を構成する樹脂組成物を塗布し、離型して、意匠シートを得る方法を説明する。
尚、製造工程において、基材層は必要に応じて備えられるものであり、表面樹脂層が十分な自己支持性を有している場合には備えられる必要は無く、作製後に目的意匠物の表面に表面樹脂層のみを張り付けて使用することも可能である。
【０１３７】
意匠シート表面樹脂層を構成する樹脂組成物は、各種の熱可塑性樹脂、熱硬化性樹脂、紫外線又は電子線等の電離放射線硬化性樹脂等を、無溶剤で用いても、溶剤に溶かして用いても良い。
当該塗布の方法は特に限定されることはないが、例えばダイコート法等を適用することができる。
【０１３８】
塗布後、加熱乾燥や紫外線又は電子線等の電離放射、冷却等の、組成物に応じた適切な硬化方法により表面樹脂層の表面態様を固定させる。
次いで、必要に応じて、得られた表面樹脂層の賦型シートに接した側とは反対側の面に基材層を接着剤により貼り合わせてもよい。
これにより表面樹脂層からなる賦型シート、または表面樹脂層と基材層とからなる意匠シートを得ることができる。
【実施例】
【０１３９】
以下実験により、賦型シートを作製し、更に得られた賦型シートを用いて、下記の大柄凹凸模様と微細柄凹凸模様とを有する意匠シートを作製して、性能の評価を行った。
大柄凹凸模様：ランダム水滴模様柄
微細柄凹凸模様：回折光沢、マット
【０１４０】
＜一次賦型シート原反の作製＞
［紫外線硬化性樹脂組成物１の調整］
下記原料を混合して均一化し、紫外線硬化性樹脂組成物１を調整した。
紫外線硬化性樹脂（三菱ケミカル（株）社製、ユピマー）          ４０質量部
溶剤（メチルエチルケトン）                                    ６０質量部
【０１４１】
［一次賦型シート原反１（ミラー仕様表面）の作製］
ＰＥＴフィルムＡ（東レ（株）社製、ルミラーＵ３４、厚さ１００μｍ、塗布側面のＳａ０μｍ）の上に、賦型層として、上記の紫外線硬化性樹脂組成物１を塗布及び加熱乾燥して積層し、次いで、該賦型層が超鏡面のチルロールに接するように、超鏡面のチルロールと押圧ロールとの間に通して賦型層の表面を平滑化して、帯状の積層体（幅１５００ｍｍ、長さ１５００ｍ）である、ミラー仕様表面の一次賦型シート原反１を作成した。賦型層表面のＳaは０．０８μｍだった。
一次賦型シート原反１の層構成は下記の通り。
ＰＥＴフィルムＡ（１００μｍ厚）／紫外線硬化性樹脂組成物１（３０μｍ厚）
【０１４２】
［一次賦型シート原反２の作製］
図１０のように、ＰＥＴフィルムＡを液状の上記紫外線硬化性樹脂組成物１が入ったバットを通過させてＰＥＴフィルムＡの片面に紫外線硬化性樹脂組成物１を塗布し、塗布層厚みを３０μｍに調整して賦型層を形成して一次賦型シート原反２を作製した。
紫外線硬化性樹脂組成物１は液状であるため、連続して一次賦型シート５の作製へと進めた。
【０１４３】
［一次賦型シートの作製］
上記で得た一次賦型シート原反１、２から、下記の一次賦型シート１〜５を作製した。
【０１４４】
［一次賦型シート１の作製］
表面を銅めっきしたシリンダーを準備し、１７０ｍｍ幅内に、微細柄凹凸模様としては図３に示されたパターンで、ピッチＰが３００μｍ、凸部幅Ｗが２００μｍ、深さＤが７μｍになるようにシリンダー表面に切削して、ドラム状賦型版１を作製した。
上記で得られた一次賦型賦型シート原反１を、図１１に示されたように、賦型層がドラム状賦型版１の表面に当たるように、ドラム状賦型版１と、表面が金属製で硬く平滑なバックアップロールとで挟んで、連続的に熱圧して、上記の微細柄凹凸模様を一次賦型シート原反１の賦型層に転写して、一次賦型シート原反１がドラム状賦型版１に巻き付けられている状態で、基材層側から紫外線を照射して紫外線硬化性樹脂組成物１を硬化して、次いで冷風で冷却して、ドラム状賦型版１から離型し、微細柄凹凸模様を有する一次賦型シート１を作製した。工程条件は下記の通り。
ドラム状賦型版表面温度：１２０℃
バックアップロール表面温度：２０℃
ドラム状賦型版加圧圧力：線圧２７０ｋｇｆ／ｃｍ
シート送り速度：５ｍ／分
冷風温度：２０℃
【０１４５】
［一次賦型シート２の作製］
微細柄凹凸模様のサイズを、ピッチＰが５００μｍ、凸部幅Ｗが３５０μｍ、深さＤが１０μｍに変更して、ドラム状賦型版２を作製して使用した以外は、一次賦型シート１と同様に操作して、一次賦型シート２を作製した。
【０１４６】
［一次賦型シート３の作製］
次に、表面を銅めっきしたシリンダーを準備し、断面が二等辺三角形のバイトで、下記ピッチとバイト頂角の組み合わせ４４種の線条パターンをシリンダー表面に切削して、ドラム状賦型版３を作製した。
ピッチＰ：１μｍ、２μｍ、３μｍ、９μｍの４水準。
バイト頂角θ：７０°から１７０°まで１０°ずつの１１水準。
深さＤ：上記ピッチＰとバイト頂角θから算出した。
切削：１００ｍｍ幅内に、１ピッチに対して、１バイト頂角の線条パターンを切削し、次いで、１０ｍｍの間隙を空けて、別種の線条パターンを切削することを繰り返した。
【０１４７】
上記で得られた一次賦型賦型シート原反１を、図１９に示されたように、賦型層がドラム状賦型版３の表面に当たるように、ドラム状賦型版３と、表面が金属製で硬く平滑なバックアップロールとで挟んで、連続的に熱圧して、上記の微細柄凹凸模様を一次賦型シート原反１の賦型層に転写して、一次賦型シート原反１がドラム状賦型版３に巻き付けられている状態で、基材層側から紫外線を照射して紫外線硬化性樹脂組成物１を硬化して、次いで冷風で冷却して、ドラム状賦型版３から離型し、微細柄凹凸模様を有する一次賦型シート３を作製した。工程条件は下記の通り。
ドラム状賦型版表面温度：１２０℃
バックアップロール表面温度：２０℃
ドラム状賦型版加圧圧力：線圧２７０ｋｇｆ／ｃｍ
シート送り速度：５ｍ／分
冷風温度：２０℃
【０１４８】
［一次賦型シート４の作製］
一次賦型シート１の一部を切断して、枚葉シートの一次賦型シート４を作製した。
【０１４９】
［一次賦型シート５の作製］
上記で作製した一次賦型シート原反２を、連続して、図１０に示したように、賦型層がドラム状賦型版３に接するように巻き付けて、ドラム状賦型版３の表面凹凸形状を圧着により賦型層に転写し、更に、一次賦型シート原反２がドラム状賦型版３に巻き付けられている状態で、基材層側から紫外線を照射して紫外線硬化性樹脂組成物２を硬化して、次いで冷却された取り出しロールで冷却して、微細柄凹凸模様を有する一次賦型シート５を作製した。各工程条件は下記の通り。
ドラム状賦型版表面温度：４０℃
取り出しロールの表面温度：３０℃
シート送り速度：５ｍ／分
冷風温度：２０℃
【０１５０】
【表１】
2019059142.tif 000003
【０１５１】
＜賦型シート原反の作製＞
［賦型シート原反１の作製］
賦型シート原反１の基材層用に、クレーコート層を形成した紙基材であるキャストコート紙（坪量１６４ｇ／ｍ2）を準備した。
このクレーコート層の上に、水性アンカーコート剤を介して、平滑化樹脂層として、ポリプロピレン樹脂８０質量％とポリエチレン樹脂２０質量％とのブレンド樹脂（サンアロ
マー株式会社製）を３１０℃で共押出機の第１押出機から押出して積層し、またその上に賦型層としてホモポリプロピレン樹脂（サンアロマー株式会社製）を共押出機の第２押出機から３０５℃で、ラインスピード８０ｍ／分で押出して積層した。
【０１５２】
次いで、賦型層が超鏡面のチルロールに接するように、積層体を、超鏡面のチルロールと押圧ロールとの間に通して賦型層表面を平滑化して、連続シートの帯状積層体（幅１５００ｍｍ、長さ１５００ｍ）である、賦型シート原反１（ミラー仕様表面）を作成した。基材層表面（平滑化樹脂層表面）のＳaは１．５μｍ、賦型層表面のＳaは０．０８μｍだった。
【０１５３】
［賦型シート原反２の作製］
超鏡面ロールを超微細マット面のチルロールに変えた以外は、賦型シート原反１と同様に操作して、連続シートの帯状積層体（幅１５００ｍｍ、長さ１５００ｍ）である、賦型シート原反２（マット仕様表面）を作成した。基材層表面（平滑化樹脂層表面）のＳaは１．５μｍ、賦型層表面のＳaは０．６μｍだった。
【０１５４】
［賦型シート原反３の作製］
賦型シート原反２の一部を切り取り、枚葉シートの積層体（幅１５００ｍｍ、長さ１０００ｍｍ）である、賦型シート原反３を作製した。
【０１５５】
［賦型シート原反４の作製］
基材層用紙基材キャストコート紙を普通の紙基材に変えた以外は、賦型シート原反１と同様に操作して、連続シートの帯状積層体（幅１５００ｍｍ、長さ１５００ｍ）である、賦型シート原反４（マット仕様表面）を作成した。基材層表面（紙基材層表面）のＳaは７μｍ、賦型層表面のＳaは０．８μｍだった。
【０１５６】
［賦型シート原反５の作製］
基材層用紙基材キャストコート紙を普通の紙基材に変え、超鏡面ロールを超微細マット面のチルロールに変えた以外は、賦型シート原反１と同様に操作して、連続シートの帯状積層体（幅１５００ｍｍ、長さ１５００ｍ）である、賦型シート原反５（マット仕様表面）を作成した。基材層表面（紙基材層表面）のＳaは１７μｍ、賦型層表面のＳaは８μｍだった。
【０１５７】
【表２】
2019059142.tif 000004
【０１５８】
＜大柄凹凸模様用ロールエンボス装置の準備＞
表面を銅めっきしたシリンダー表面に、１７０ｍｍ幅内に、断面が台形のバイトで、下記仕様の大柄凹凸模様を切削して、ロールエンボス装置のエンボスロール側に取り付けて、バックアップロールと接触させて空運転し、バックアップロール表面にエンボス構造を転写して、大柄凹凸模様用ロールエンボス装置を準備した。
（大柄凹凸模様の仕様）
タイプ：ランダム水滴模様柄
深さＤ：１０μｍ
【０１５９】
＜微細柄凹凸模様用プレス装置＞
表３中、プレス部品における記載は下記の意味である。
平滑ロール（硬）：表面が平滑で硬く圧着により表面形状が変化しない構成を備えた金属ロール。
平滑ロール（柔）：表面が柔らかく圧着により表面形状が変化する構成を備えた紙層のロール。
平板（硬）：表面が平滑で硬く圧着により表面形状が変化しない構成を備えた銅板。
【０１６０】
［実施例１］
（微細柄凹凸模様転写済み賦型シートの作製）
上記で得た、一次賦型シート１と賦型シート原反１とを用いて、図１４のように、連続的に、賦型シート原反に基材層側から熱風を当てて加熱して、一次賦型シートと賦型シート原反とを、賦型層同士が対向するように重ねて、表面が平滑で硬く圧着により表面形状が変化しない構成を備えた２つのロールで挟んで熱圧して、一次賦型シートの微細柄凹凸模様を、賦型シート原反１の賦型層に転写によって追加した。
この際、賦型シート原反１が接する側のロールは加熱し、一次賦型シートが接する側のロールは冷却した。
次いで、賦型シート原反１の基材層側から冷風を当てて冷却し、熱圧されて接着されている賦型シート原反１と一次賦型シート１とを、一対の剥離ロールを通して、剥離して、微細柄凹凸模様転写済み賦型シート１を得た。
【０１６１】
工程条件は、下記の通り。
熱風の温度：１１０℃
一次賦型シート１が接する側のロールの表面温度：３０℃
賦型シート原反１が接する側のロールの表面温度：１２０℃
ロール圧力：線圧２７０ｋｇｆ／ｃｍ
冷風の温度：１０℃
シート送り速度：５ｍ／分
【０１６２】
（賦型シートの作製）
上記で得た微細柄凹凸模様転写済み賦型シート１を、上記で準備した大柄凹凸模様用ロールエンボス装置に、図１５のように、賦型層がエンボスロール側に当たるように、連続的に熱圧して、大柄凹凸模様を微細柄凹凸模様転写済み賦型シート１の賦型層に転写して、賦型シート１を作製した。各工程条件は下記の通り。
エンボスロール表面温度：１２０℃
ロール圧力：線圧２７０ｋｇｆ／ｃｍ
シート送り速度：５ｍ／分
【０１６３】
（意匠シートの作製）
意匠シートの微細柄凹凸模様と大柄凹凸模様が賦型される表面樹脂層用に、ポリウレタ
ン（大日精化工業（株）社製、レザミンＮＥ−８８１１）と、着色剤（大日精化工業（株）社製、セイカセブンＮＥＴ−５７９４ブラック）とを用いて、下記配合で意匠樹脂組成物１を調整した。
ポリウレタン              １００質量部
着色剤                      １５質量部
トルエン                    ２５質量部
イソプロピルアルコール      ２５質量部
【０１６４】
上記で作製した賦型シート１を、合成皮革製造装置に取り付け、意匠樹脂組成物１を賦型シートの賦型層に、ダイコート法により塗布した。
塗布後、１００℃〜１２０℃の範囲で２分加熱乾燥した。その後、接着剤を用いて基布と貼り合わせ、乾燥し、熟成させて、賦型シート１から離型し、意匠シート１を得た。
（評価）
上記で得られた意匠シート１について、マット質感を評価した。結果を表３に示した。
【０１６５】
［実施例２］
実施例１と同じ一次賦型シート１と賦型シート原反１を用いて、模様の転写順序を変えて、大柄凹凸模様を先に転写して賦型シート２を作製し、実施例１と同様に意匠シートを作製し、評価した。結果を表３に示した。
【０１６６】
（大柄凹凸模様転写済み賦型シートの作製）
上記で得た賦型シート原反１を、上記で準備した大柄凹凸模様用ロールエンボス装置に、図１５のように、賦型層がエンボスロール側に当たるように、連続的に熱圧して、大柄凹凸模様を賦型シート原反１の賦型層に転写して、大柄凹凸模様転写済み賦型シート１を作製した。各工程条件は下記の通り。
エンボスロール表面温度：１２０℃
ロール圧力：線圧２７０ｋｇｆ／ｃｍ
シート送り速度：５ｍ／分
【０１６７】
（賦型シートの作製）
上記で得た、一次賦型シート１と大柄凹凸模様転写済み賦型シート１とを用いて、図１４のように、連続的に、大柄凹凸模様転写済み賦型シート１に基材層側から熱風を当てて加熱して、一次賦型シートと大柄凹凸模様転写済み賦型シート１とを、賦型層同士が対向するように重ねて、表面が平滑で硬く圧着により表面形状が変化しない構成を備えた２つのロールで挟んで熱圧して、一次賦型シートの微細柄凹凸模様を、大柄凹凸模様転写済み賦型シート１の賦型層に転写によって追加した。
この際、大柄凹凸模様転写済み賦型シート１が接する側のロールは加熱し、一次賦型シートが接する側のロールは冷却した。
次いで、大柄凹凸模様転写済み賦型シート１の基材層側から冷風を当てて冷却し、熱圧されて接着されている大柄凹凸模様転写済み賦型シート１と一次賦型シート１とを、一対の剥離しロールを通して、剥離して、賦型シート２を得た。
工程条件は、下記の通り。
熱風の温度：１１０℃
一次賦型シートが接する側のロールの表面温度：３０℃
大柄凹凸模様転写済み賦型シート１が接する側のロールの表面温度：１２０℃
ロール圧力：線圧２７０ｋｇｆ／ｃｍ
冷風の温度：１０℃
シート送り速度：５ｍ／分
【０１６８】
［実施例３、４、６〜１１、比較例１］
表３、４に記載した、一次賦型シート、賦型シート原反、微細柄凹凸模様転写済み賦型シート、プレス部品等の組み合わせに従って、実施例１と同様に操作して賦型シート及び意匠シートを作製し、微細柄凹凸模様のタイプがマットのものについてはマット質感の評価を、微細柄凹凸模様のタイプが回折光沢のものについては虹強さと虹視野広さの評価を行った。結果を表３、４に示した。
【０１６９】
［実施例５］
表３に記載した、一次賦型シート、賦型シート原反、大柄凹凸模様転写済み賦型シート、プレス部品等の組み合わせに従って、実施例２と同様に操作して賦型シート及び意匠シートを作製し、虹強さと虹視野広さの評価を行った。結果を表３に示した。
【０１７０】
＜評価方法＞
＜大柄凹凸模様視認性＞
大柄凹凸模様の視認性の評価は、目視により行った。
意匠シートから１００ｍｍ角のサンプルを切り出して机の上に置き、５００ｍｍ上方位置から、大柄凹凸模様を視認できるか否かを判定した。照度４００ルクス（明るいオフィス相当）の試験環境下で、被験者１０名(２０代から６０代まで)中の、視認できると感じる人数をカウントした。
微細柄凹凸模様の線状凸部が延びる方向を縦方向として、縦方向と横方向の両方について評価した。
表１中の評価結果記載の意味及び基準は、下記の通り。
◎：１０名全員が視認できると感じた。
○：６名以上９名以下が視認できると感じ。
△：３名以上５名以下が視認できると感じた。
×：２名以下が視認できると感じた。
【０１７１】
［マット質感］
照度４００ルクス（明るいオフィス相当）の試験環境下で、意匠シートから切り出した１００ｍｍ角のサンプルを机の上に置き、被験者１０名(２０代から６０代まで)が５００ｍｍ上方位置から目視して、広くマット質感を感じる人数をカウントすることによって判定した。
微細柄凹凸模様の線状凸部が延びる方向を縦方向として、縦方向と横方向の両方において、３名以上が広く均質なマット質感を感じた場合に良好とした。
【０１７２】
＜回折光沢の虹強さの評価＞
回折光沢の虹強さの評価は、変角分光測定により行った。変角分光測定器（Ｓ−ＯＧＭ、デジタルファッション株式会社）を用い、回折光沢シートの回折構造層に対して、入射角度０度（回折光沢シートの法線方向）から白色（キセノン光源）を照射し、出射角度ごとのＸＹＺ表色系を求めた。明度に対応するＹの値を、白色（キセノン光源）のＹ値で規格化したゲインを求めた。正反射光を除いた規格化したゲインの最大値によって、虹の強さを決定した。
線状凸部が延びる方向を縦方向として、縦方向と横方向の両方について評価した。
表中の評価結果記載の意味及び基準は、下記の通り。
◎：最も良好。ゲイン≧０．３。
○：良好。０．３＞ゲイン≧０．２。
△：可。０．２＞ゲイン≧０．１。
×：不可。０．１＞ゲイン。
【０１７３】
＜回折光沢の視野の広さの評価＞
回折光沢の視野の広さについて、以下の手順で目視検査を行い、判定した。
意匠シートから１００ｍｍ角のサンプルを切り出して机の上に置き、５００ｍｍ上方位置から虹の視野の広さを判定した。照度４００ルクス（明るいオフィス相当）の試験環境下で、被験者１０名(２０代から６０代まで)中の、視野が広いと感じる人数をカウントした。
線状凸部が延びる方向を縦方向として、縦方向と横方向の両方について評価した。
表中の評価結果記載の意味及び基準は、下記の通り。
◎：１０名全員が視野が広いと感じた。
○：６名以上９名以下が視野が広いと感じ。
△：３名以上５名以下が視野が広いと感じた。
×：２名以下が視野が広いと感じた。
【０１７４】
【表３】
2019059142.tif 000005
【０１７５】
【表４】
2019059142.tif 000006
【０１７６】
［結果まとめ］
表３、４からわかるように、本発明にかかる一次賦型シートと賦型シートを用いることにより、実施例１〜１１において、良好なマット質感や、回折光沢を、広い範囲で明るく観察し得る意匠シートが得られた。
賦型シート原反の基材層及び賦型層のＳａが大きい比較例１は、マット質感が不均質な結果になった。
【符号の説明】
【０１７７】
１  微細柄線状凹部
２  微細柄線状凸部
１１  一次賦型シート
１２  一次賦型シート賦型部
１３  一次賦型シート基材部
１４  一次賦型シート賦型層賦型部
１５  一次賦型シート賦型層基部
１６  一次賦型シート微細柄線状凹部
１７  一次賦型シート微細柄線状凸部
２１  微細柄凹凸模様転写済み賦型シート
２２  微細柄凹凸模様転写済み賦型シート賦型部
２３  微細柄凹凸模様転写済み賦型シート基材部
２４  微細柄凹凸模様転写済み賦型シート賦型層賦型部
２５  微細柄凹凸模様転写済み賦型シート賦型層基部
２６  微細柄凹凸模様転写済み賦型シート微細柄線状凹部
２７  微細柄凹凸模様転写済み賦型シート微細柄線状凸部
３１  大柄凹凸模様転写済み賦型シート
３２  大柄凹凸模様転写済み賦型シート賦型層
３３  大柄凹凸模様転写済み賦型シート基材層
３４  大柄凹凸模様転写済み賦型シート賦型層賦型部
３５  大柄凹凸模様転写済み賦型シート賦型層基部
３６  大柄凹凸模様転写済み賦型シート大柄線状凹部底面
３７  大柄凹凸模様転写済み賦型シート大柄線状凸部天面
４１  賦型シート
５１  意匠シート
６１  一次賦型シート製造装置
６２  一次賦型シート用原反巻
６３  一次賦型シート用原反
６４  紫外線硬化性樹脂組成物
６５  ドラム状賦型版
６６  紫外線照射装置
６７  取り出しロール
６８  一次賦型シート
６９  一次賦型シート巻
７１  送りロール
７２  熱風装置
７３  バックアップロール
７４  冷風装置
８１  微細柄凹凸模様転写済み賦型シート製造装置
８２  賦型シート用原反巻
８３  賦型シート用原反
８４  エンボスロール（微細柄凹凸模様転写用平滑表面）
８５  離型ロール
８６  微細柄凹凸模様転写済み賦型シート
８７  微細柄凹凸模様転写済み賦型シート巻
９１  大柄凹凸模様転写済み賦型シート製造装置
９２  エンボスロール（大柄凹凸模様転写用エンボス表面）
９３  大柄凹凸模様転写済み賦型シート
９４  大柄凹凸模様転写済み賦型シート巻
【図１】
2019059142.tif 000007
【図２】
2019059142.tif 000008
【図３】
2019059142.tif 000009
【図４】
2019059142.tif 000010
【図５】
2019059142.tif 000011
【図６ａ】
2019059142.tif 000012
【図６ｂ】
2019059142.tif 000013
【図７】
2019059142.tif 000014
【図８】
2019059142.tif 000015
【図９】
2019059142.tif 000016
【図１０】
2019059142.tif 000017
【図１１】
2019059142.tif 000018
【図１２】
2019059142.tif 000019
【図１３】
2019059142.tif 000020
【図１４】
2019059142.tif 000021
【図１５】
2019059142.tif 000022